(57)【要約】【課題】本発明は、遊技者に対する高い訴求力でもって強く遊技者の関心を引付けるに適した遊技機を提供する。【解決手段】右側電飾部材３００ｂが左側電飾部材３００ａよりも前方へ膨出し、ハンドルＨａが右側電飾部材３００ｂよりも前方へ延出し、かつ、皿部材３９０がハンドルＨａよりも前方へ膨出している。ここで、上下両側第２左電飾部ＥＬは、それぞれ、左側電飾部材３００ａの中側電飾部３１０、上側電飾部３２０及び下側電飾部３３０とは異なる形状にて異なる方向に延在するとともに、上下両側第２電飾部ＥＲは、それぞれ、右側電飾部材３００ｂの中側電飾部３４０、上側電飾部３５０及び下側電飾部３６０とは異なる形状にて異なる方向に延在する。【選択図】図２１
2018029924.tif 000002
【特許請求の範囲】
【請求項１】
本体枠と、
遊技者の操作により打ち込まれる遊技媒体を進入させる遊技領域を設けてなる遊技盤と、
前記本体枠に対しその前側にて開閉可能となっている前扉と、
遊技媒体を貯留し得るように前方へ膨出する皿部材と、
前記皿部材を電飾により装飾する皿電飾手段と、
前記前扉の左側部に設けてなる左側電飾部材と、
前記前扉の右側部に設けてなる右側電飾部材とを備えて、
前記右側電飾部材は前記左側電飾部材よりも前方に膨出し、前記ハンドル部材は前記右側電飾部材よりも前方へ延出し、かつ、前記皿部材は前記ハンドル部材よりも前方に膨出して膨出しており、
前記左側電飾部材は、前記前扉の左側部に沿い設けてなる第１電飾体と、当該第１電飾体に隣接して当該第１電飾体とは異なる形状にて異なる方向に延在するように前記前扉の前記左側部に設けてなる第２電飾体とを具備しており、
前記右側電飾部材は、前記前扉の右側部に沿い設けてなる第３電飾体と、当該第３電飾体に隣接して当該第３電飾体とは異なる形状にて異なる方向に延在するように前記前扉の前記右側部に設けてなる第４電飾体とを具備してなり、
前記左側電飾部材及び前記右側電飾部材は、それぞれ、少なくとも前記第１及び第３の電飾体にて、不均一な輝度にて上下方向に変化するような発光態様にて電飾を行うようにした遊技機。
【請求項２】
遊技媒体の入賞に伴い大当たり抽選の結果が大当たりであるとき大当たり電飾演出を行うように処理する大当たり電飾演出処理手段と、
前記大当たり抽選の結果が外れであるとき行われる外れ演出処理の終了後所定の客待ち時間の経過に伴い前記大当たり電飾演出に類似した客待ちモード電飾演出を行うように処理する客待ちモード電飾演出処理手段と、
制御手段とを備えており、
当該制御手段は、
前記大当たり電飾演出処理手段による前記大当たり電飾演出の処理に基づき、前記大当たり電飾演出を行うように前記左側電飾部材、前記右側電飾部材及び前記皿電飾手段のうちの少なくとも１つを制御し、
また、前記客待ちモード電飾演出処理手段による前記客待ちモード電飾演出の処理に基づき、前記大当たり電飾演出に類似した客待ちモード電飾演出を行うように前記左側電飾部材、前記右側電飾部材及び前記皿電飾手段のうちの少なくとも１つを制御するようにしたことを特徴とする請求項１に記載の遊技機。
【請求項３】
前記ハンドル部材は、前記皿部材のうちの遊技媒体を貯留する開口部よりも前側へ延出していることを特徴とする請求項１または２に記載の遊技機。
【発明の詳細な説明】
【技術分野】
【０００１】
本発明は、パチンコ遊技機や回胴式遊技機等の遊技機に関する。
【背景技術】
【０００２】
この種の遊技機においては、特許文献１に記載の遊技機が提案されている。当該遊技機は、扉枠に、その遊技窓の外周を囲うように配置され所定の形状に立体的に形成されると共に発光可能とされた枠状の発光装飾部材を備えて、当該発光装飾部材でもって、立体的な形状により遊技窓から臨む遊技領域の外周を装飾すると共に、発光することで装飾効果を高めて遊技者を楽しませられるようにしている。
【先行技術文献】
【特許文献】
【０００３】
【特許文献１】特許第５８２０６５５号公報
【発明の概要】
【発明が解決しようとする課題】
【０００４】
しかしながら、上記構成によれば、扉枠の遊技窓の外周に配置される枠状の発光装飾部材により演出の補助を行うことはできるものの、変化に乏しく遊技者の関心を強く引付けることが困難である。
【０００５】
そこで、本発明は、上述のことに対処すべく、遊技者に対する高い訴求力でもって強く遊技者の関心を引付けるに適した遊技機を提供することを目的とする。
【課題を解決するための手段】
【０００６】
上記課題の解決にあたり、本発明に係る遊技機は、請求項１の記載によれば、
本体枠（Ｂａ）と、
遊技者の操作により打ち込まれる遊技媒体を進入させる遊技領域（１２）を設けてなる遊技盤（Ｂｂ）と、
本体枠に対しその前側にて開閉可能となっている前扉（ＦＤ）と
ハンドル部材（Ｈａ）と、
遊技媒体を貯留し得るように前方に膨出する皿部材（３９０）と、
皿部材を電飾により装飾する皿電飾手段（３９０ｂ、３９０ｃ）と、
前扉の左側部に設けてなる左側電飾部材（３００ａ）と、
前扉の右側部に設けてなる右側電飾部材（３００ｂ）とを備えて、
右側電飾部材は左側電飾部材よりも前方に膨出し、ハンドル部材は右側電飾部材よりも前方へ延出し、かつ、皿部材はハンドル部材よりも前方に膨出しており、
左側電飾部材は、前扉の左側部に沿い設けてなる第１電飾体（３１０〜３３０）と、当該第１電飾体に隣接して当該第１電飾体とは異なる形状にて異なる方向に延在するように前扉の上記左側部に設けてなる第２電飾体（ＥＬ）とを具備しており、
右側電飾部材は、前扉の右側部に沿い設けてなる第３電飾体（３４０〜３６０）と、当該第３電飾体に隣接して当該第３電飾体とは異なる形状にて異なる方向に延在するように前扉の上記右側部に設けてなる第４電飾体（ＥＲ）とを具備してなり、
左側電飾部材及び右側電飾部材は、それぞれ、少なくとも第１及び第３の電飾体にて、不均一な輝度にて上下方向に変化するような発光態様にて電飾を行うよう。
【０００７】
このように、第３及び第４の電飾体を具備する右側電飾部材が、第１及び第２の電飾体を具備する左側電飾部材よりも前方に膨出し、ハンドル部材が、第３及び第４の電飾体を具備する右側電飾部材よりも前方に延出し、かつ、皿部材がハンドル部材よりも前方に膨出している。
【０００８】
ここで、ホール側では遊技媒体を遊技機に対し供給する必要があることから、通常、遊技機の左側に付設される球貸し出し装置の本体からノズルを介し皿部材内に遊技媒体を供給するようになっている。このためには、ノズルを球貸し出し装置の本体から前扉の前側左部位を通り皿部材に向けて延出しなければならない。
【０００９】
このような事情から前扉の左側部位は、皿部材よりも遊技機の後側へ引っ込むように構成されている。これに伴い、左側電飾部材も皿部材よりも遊技機の後側へ引っ込むように構成される。
【００１０】
一方、遊技者は、その遊技中において、遊技機における遊技媒体の入賞にかかわる部位、つまり、遊技盤の中央に意識的に集中することから、当該遊技者は、前扉の中央を通して遊技盤の中央を集中的に視認する傾向にある。従って、遊技機の外周部に対応する前扉の外周部が構成上何の特徴も有さなければ、遊技者は、前扉の外周部にはなかなか眼を向けることがない。
【００１１】
これでは、遊技者に対する高い訴求力でもって遊技者の関心を強く引付ける構成とはならない。
【００１２】
そこで、本発明では、上述のように、前扉において、第３及び第４の電飾体を具備する右側電飾部材が第１及び第２の電飾体を具備する左側電飾部材よりも前方に膨出し、ハンドル部材が第３及び第４の電飾体を具備する右側電飾部材よりも前方に延出し、かつ、皿部材がハンドル部材よりも前方に膨出するように構成した。
【００１３】
これによれば、前扉において、皿部材、ハンドル部材、第３及び第４の電飾体を具備する右側電飾部材並びに第１及び第２の電飾体を具備する左側電飾部材の前側への各膨出度合が異なり不均一となることから、遊技者は、遊技機の中央の周囲にある第１及び第２の電飾体を具備する左側電飾部材、ハンドル部材、第３及び第４の電飾体を具備する右側電飾部材や皿部材に対しても意識的に眼を向けるようになる。
【００１４】
その結果、遊技者が第１及び第２の電飾体を具備する左側電飾部材、第３及び第４の電飾体を具備する右側電飾部材、ハンドル部材及び皿部材を全体として前扉の前側から視認したとき、当該前扉の外観が、高い訴求力でもって強く遊技者の関心を引付け得る。これに伴い、上述した前扉の前側から視認したときの外観が、例えば、遊技者に対し、快適な視認感覚を与え得る。
【００１５】
しかも、上述のように、左側電飾部材において、第１電飾体が前扉の左側部に沿い設けられるとともに、第２電飾体が第１電飾体に隣接して当該第１電飾体とは異なる形状にて異なる方向に延在するように前扉の左側部に設けられており、一方、右側電飾部材において、第３電飾体が前扉の右側部に沿い設けられるとともに、第４電飾体が、当該第３電飾体に隣接して当該第３電飾体とは異なる形状にて異なる方向に延在するように前扉の上記右側部に設けられている。
【００１６】
このように、第２電飾体が第１電飾体とは異なる形状にて異なる方向に延在するとともに、第４電飾体が第３電飾体とは異なる形状にて異なる方向に延在するので、第２電飾体及び第４電飾体が、それぞれ、左側電飾部材及び右側電飾部材において、アクセント的な機能を発揮し得る。その結果、第２電飾体及び第４電飾体は、前扉において、アクセント的な機能の発揮により遊技者に対し斬新な視認感覚を与え得る。
【００１７】
さらに、左側電飾部材及び右側電飾部材は、それぞれ、少なくとも第１及び第３の電飾体にて、不均一な輝度にて上下方向に変化するような発光態様にて電飾を行う。その結果、上述した作用効果に加え、さらに、遊技者に対し視覚的な遊技の楽しみを与えて当該パチンコ遊技機に対し付加価値を提供することができる。
【００１８】
また、本発明は、請求項２の記載によれば、請求項１に記載の遊技機において、
遊技媒体の入賞に伴い大当たり抽選の結果が大当たりであるとき大当たり電飾演出を行うように処理する大当たり電飾演出処理手段（２１３２）と、
前記大当たり抽選の結果が外れであるとき行われる外れ演出処理の終了後所定の客待ち時間の経過に伴い前記大当たり電飾演出に類似した客待ちモード電飾演出を行うように処理する客待ちモード電飾演出処理手段（２１８１）と、
制御手段（５００）とを備えており、
当該制御手段は、
前記大当たり電飾演出処理手段による前記大当たり電飾演出の処理に基づき、前記大当たり電飾演出を行うように前記左側電飾部材、前記右側電飾部材及び前記皿電飾手段のうちの少なくとも１つを制御し、
また、前記客待ちモード電飾演出処理手段による前記客待ちモード電飾演出の処理に基づき、前記大当たり電飾演出に類似した客待ちモード電飾演出を行うように前記左側電飾部材、前記右側電飾部材及び前記皿電飾手段のうちの少なくとも１つを制御するようにしたことを特徴とする。
【００１９】
これによれば、これによれば、第１及び第２の電飾体を有する左側電飾部材、第３及び第４の電飾体を有する右側電飾部材及び皿電飾手段のうちの少なくとも１つが、制御手段による制御のもと、客待ちモード電飾演出処理手段による上記客待ちモード電飾演出の処理に基づき、上記大当たり電飾演出に類似した客待ちモード電飾演出を行う。
【００２０】
従って、新たな客が当該遊技機の前扉を見たとき、当該新たな客は、第１及び第２の電飾体を有する左側電飾部材、第３及び第４の電飾体を有する右側電飾部材、皿電飾手段のうちの少なくとも１つが上述した客待ちモード電飾演出を行っていることを視認することとなる。
【００２１】
その結果、本請求項２に記載の発明によれば、請求項１に記載の発明の作用効果が達成されるのは勿論のこと、新たな客が、左側電飾部材、右側電飾部材、皿電飾手段の少なくとも１つによる上述した客待ちモード電飾演出の基づき、当該遊技機が既に大当たりの成立により多くの遊技球を獲得されているかのように錯覚を起こすこととなり、当該新たな客を当該遊技機による遊技に誘導することが可能となる。
【００２２】
また、本発明は、請求項３の記載によれば、請求項１または２に記載の遊技機において、
ハンドル部材は、皿部材のうちの遊技媒体を貯留する開口部（３９１ａ）よりも前側へ延出していることを特徴とする。
【００２３】
このように、ハンドルが、皿部材の開口部よりも前方へ延出していることから、遊技者による皿部材の開口部に対する左手の伸ばし方及びハンドルに対する右手の伸ばし方が、脳における混同を起こすことなく人間工学的に行われ易いようになる。これにより、請求項１または２に記載の発明の作用効果を達成し得るのは勿論のこと、遊技者は、疲れを招くことなく容易に、左手で皿部材の開口部内の遊技媒体をいじりながら右手でハンドルを操作し得る。
【発明の効果】
【００２４】
本発明によれば、第３及び第４の電飾体を有する右側電飾部材が、第１及び第２の電飾体を有する左側電飾部材よりも前方に膨出し、ハンドル部材が、第３及び第４の電飾体を有する右側電飾部材よりも前方に延出し、かつ、皿部材がハンドル部材よりも前方に膨出していることから、遊技者は、遊技機の中央の周囲にある左側電飾部材、右側電飾部材、ハンドル部材や皿部材に対しても意識的に眼を向けるようになる。その結果、遊技者が左側電飾部材、右側電飾部材、ハンドル部材及び皿部材を全体として前扉の前側から視認したとき、当該前扉の外観が、高い訴求力でもって強く遊技者の関心を引付け得る。これに伴い、上述した前扉の前側から視認したときの外観が、例えば、遊技者に対し、快適な視認感覚を与え得る。
【００２５】
しかも、第２電飾体が第１電飾体とは異なる形状にて異なる方向に延在するとともに、第４電飾体が第３電飾体とは異なる形状にて異なる方向に延在するので、第２電飾体及び第４電飾体が、それぞれ、左側電飾部材及び右側電飾部材において、アクセント的な機能を発揮し得るとともに、左側電飾部材及び右側電飾部材が、それぞれ、少なくとも第１及び第３の電飾体にて、不均一な輝度にて上下方向に変化するような発光態様にて電飾を行うことで、遊技者に対し視覚的な遊技の楽しみを与えて当該遊技機に対し付加価値を提供することができる。
【００２６】
なお、上記各手段の括弧内の符号は、後述する実施形態に記載の具体的手段との対応関係を示す。
【図面の簡単な説明】
【００２７】
【図１】本発明の第１実施形態のパチンコ遊技機を前側から見た斜視図である。
【図２】上記第１実施形態のパチンコ遊技機を前側から見た部分破断正面図である。
【図３】図１のパチンコ遊技機を後側から見た背面図である。
【図４】図１のパチンコ遊技機を後側から見た斜視図である。
【図５】図２のパチンコ遊技機を左側から見た左側面図である。
【図６】図２のパチンコ遊技機の前扉を各電飾部材のレンズを省略した状態で示す正面図である
【図７】上記第１実施形態におけるパチンコ遊技機の主制御装置側ブロック図である。
【図８】上記第１実施形態におけるパチンコ遊技機の副制御装置側ブロック図である。
【図９】図７の主制御装置のＣＰＵが実行するためのタイマー割り込みプログラムを表すフローチャートである。
【図１０】図９の特別図柄処理ルーチンを表す詳細フローチャートである
【図１１】図９の普通図柄処理ルーチンを表す詳細フローチャートである。
【図１２】図８の副制御装置のシステム制御部が実行するための演出制御プログラムを表すフローチャートの一部である。
【図１３】図８の副制御装置のシステム制御部が実行するための演出制御プログラムを表すフローチャートの一部である。
【図１４】本発明の第２実施形態のパチンコ遊技機を前側から見た斜視図である。
【図１５】上記第２実施形態のパチンコ遊技機を前側から見た部分破断正面図である。
【図１６】図１５のパチンコ遊技機を左側から見た左側面図である。
【図１７】図１５のパチンコ遊技機を右側から見た左側面図である。
【図１８】本発明の第３実施形態のパチンコ遊技機を前側から見た斜視図である。
【図１９】図１８のパチンコ遊技機を右側から見た右側面図である。
【図２０】図１８のパチンコ遊技機を左側から見た左側面図である。
【図２１】本発明の第４実施形態のパチンコ遊技機を前側から見た斜視図である。
【図２２】図２１のパチンコ遊技機を左側から見た左側面図である。
【図２３】上記第４実施形態のパチンコ遊技機の副制御装置側ブロック図である。
【図２４】図２３の副制御装置のシステム制御部が実行するための演出制御プログラムを表すフローチャートの一部である。
【図２５】本発明の第５実施形態のパチンコ遊技機において副制御装置のシステム制御部が実行するための演出制御プログラムを表すフローチャートの一部である。
【図２６】本発明の第６実施形態のパチンコ遊技機を前側から見た斜視図である。
【図２７】図２６のパチンコ遊技機を右側からみた右側面図である。
【図２８】図２６のパチンコ遊技機を左側からみた左側面図である。
【図２９】本発明の第７実施形態のパチンコ遊技機において副制御装置のシステム制御部が実行するための演出制御プログラムを表すフローチャートの一部である。
【図３０】本発明の第８実施形態のパチンコ遊技機を前側から見た斜視図である。
【図３１】図３０のパチンコ遊技機を右側からみた右側面図である。
【図３２】図３０のパチンコ遊技機を左側からみた左側面図である。
【図３３】本発明の第９実施形態のパチンコ遊技機において副制御装置のシステム制御部が実行するための演出制御プログラムを表すフローチャートの一部である。
【発明を実施するための形態】
【００２８】
以下、本発明の各実施形態について図面を参照して説明する。
（第１実施形態）
図１〜図３は、本発明が適用されるパチンコ遊技機の第１実施形態を示している。当該パチンコ遊技機は、パチンコホール内の島設備に立設されるもので、このパチンコ遊技機は、機枠Ｆと、この機枠Ｆに対し前後方向に開閉可能に支持される遊技機本体Ｂ及び前扉ＦＤとにより構成されている。なお、図２において、図示左側、右側、上側及び下側は、当該パチンコ遊技機の左側、右側、上側及び下側に対応し、図示前側（紙面の前側）及び後側（紙面の裏側）は、当該パチンコ遊技機の前側及び後側に対応する。また、当該パチンコ遊技機は、いわゆるデジパチ型のパチンコ遊技機である。
【００２９】
遊技機本体Ｂは、本体枠Ｂａを有しており、当該本体枠Ｂａは、その左側縁部にて、機枠Ｆ内にてその左側縁部に前後方向に開閉可能に支持されている。これにより、遊技機本体Ｂは、機枠Ｆ内に前後方向に開閉可能に組み付けられている。
【００３０】
また、当該遊技機本体Ｂは、図２にて示すごとく、遊技盤Ｂｂを備えており、この遊技盤Ｂｂは、遊技機本体Ｂの本枠体Ｂａに嵌装されている。当該遊技盤Ｂｂは、遊技板１０と、ガイドレール２０、環状センター構造物（図示しない）及び複数の遊技釘（図示しない）とを備えている。ガイドレール２０は、遊技板１０の前面１１（以下、遊技盤Ｂｂの盤面１１ともいう）に沿い配設されており、このガイドレール２０は、内側レール部２１及び外側レール部２２でもって構成されている。なお、上記環状センター構造物は、遊技板１０の中央開口部１３の上側外周部に沿うように遊技板１０に組み付けられている。
【００３１】
ここで、内側レール部２１は、外側レール部２２の内周側に位置するように、当該外側レール部２２と共に、遊技盤Ｂｂの盤面１１の外周部に沿い配設されており、当該ガイドレール２０は、その内周側において、遊技板１０の盤面１１上に遊技領域１２を形成している。
【００３２】
しかして、ガイドレール２０は、ハンドル（図示しない）の回動操作により、球発射制御盤１４０ｄ（図３参照）に内蔵してなる球発射装置（図示しない）から発射される遊技球を内側レール部２１と外側レール部２２との間を通し案内して、遊技領域１２内に転動させる。なお、アウト口（図示しない）は、ガイドレール２０の下端部直上にて、遊技盤Ｂｂの盤面１１に形成されており、このアウト口は、遊技盤Ｂｂの盤面１１に沿い入賞することなく下方へ転動する遊技球を遊技盤Ｂｂの背面側へ排出する排出口である。
【００３３】
上記複数の遊技釘は、ガイドレール２０の内側において、上記センター構造物の左側から下側にかけて、遊技盤Ｂｂにその盤面１１側から分散して打ち込まれている。しかして、当該複数の遊技釘によれば、ガイドレール２０から遊技領域１２内に転動する遊技球が、遊技盤Ｂｂの盤面１１に沿い、各遊技釘との衝突を経て、下方へ転動する。
【００３４】
また、当該遊技盤Ｂｂは、第１始動入賞口装置３０、第２始動入賞口装置４０、スルーゲート５０、風車（図示しない）、複数の普通入賞口装置６０、大入賞口装置７０及び演出表示装置８０を備えており、第１始動入賞口装置３０、第２始動入賞口装置４０、スルーゲート５０、上記風車、各普通入賞口装置６０、大入賞口装置７０及び演出表示装置８０は、図２にて示す各位置にて、遊技盤Ｂｂの盤面１１に遊技領域１２内にて組み付けられている。
【００３５】
第１始動入賞口装置３０は、図２にて示すごとく、演出表示装置８０の下縁中央部の直下に位置している。この第１始動入賞口装置３０は、始動入賞口（以下、第１始動入賞口ともいう）を備えており、当該第１始動入賞口装置３０は、その第１始動入賞口への遊技球の入賞を第１始動入賞口センサＳ１（図７参照）により検出するに伴い、大当たり抽選（大当たりか否かの抽選）の機会を提供するとともに、所定数の賞球を払い出すようになっている。
【００３６】
第２始動入賞口装置４０は、第１始動入賞口装置３０の直下に位置しており、この第２始動入賞口装置４０は、電動チューリップ部材でもって構成されている。当該第２始動入賞口装置４０は、始動入賞口（以下、第２始動入賞口ともいう）を備えており、この第２始動入賞口装置４０は、上記第２始動入賞口への遊技球の入賞が第２始動入賞口センサＳ２（図７参照）により検出されるに伴い、電動チューリップ部材の両羽根部材にて、遊技板１０にその裏面側から設けた電チューアクチュエータ４０ａ（図７参照）により開閉駆動される。
【００３７】
しかして、当該第２始動入賞口装置４０は、その両羽根部材の閉鎖状態にて、第１始動入賞口装置３０の周辺から下方へ転動する遊技球の第２始動入賞口への入賞を規制し、また、その両羽根部材の開放状態にて、第１始動入賞口装置３０の周辺から下方へ転動する遊技球の第２始動入賞口への入賞を容易にして、当該入賞に基づき所定数の賞球の払い出しの契機を与えるとともに、第１始動入賞口装置３０と同様に大当たり抽選の機会を提供する。
【００３８】
スルーゲート５０は、図２にて示すごとく、演出表示装置８０の左側に位置しており、このスルーゲート５０は、その直上から遊技盤Ｂｂの盤面１１に沿い下方へ転動する遊技球に対し通過する機会を与える。これにより、当該スルーゲート５０は、その遊技球の通過に対するゲートセンサＳ３（図７参照）の検出に伴い、普通図柄抽選を開始する。
【００３９】
複数の普通入賞口装置６０は、図２にて示すごとく、大入賞口装置７０の左右両側に位置しており、左側の両普通入賞口装置６０は、それぞれ、その普通入賞口への遊技球の入賞の機会を与える。また、右側の普通入賞口装置６０は、それぞれ、その普通入賞口への遊技球の入賞の機会を与える。しかして、各普通入賞口装置６０は、その遊技球の入賞に対する各普通入賞口センサＳ４（図７参照）の検出に伴い、所定数の賞球を払い出すようになっている。
【００４０】
大入賞口装置７０は、図２にて示すごとく、第２始動入賞口装置４０の直下に位置しており、この大入賞口装置７０は、その大入賞口扉により大入賞口を開くことによって、遊技盤Ｂｂの盤面１１に沿い第１始動入賞口装置３０の近傍へ転動する遊技球に対し大入賞口への入賞の機会を与える。また、当該大入賞口装置７０は、大入賞口扉により大入賞口を閉鎖することによって、遊技球の大入賞口への入賞を規制する。本第１実施形態において、大入賞口装置７０は、大入賞口への遊技球の入賞に対する大入賞口センサＳ５（図７参照）の検出に伴い、大入賞口扉にて、遊技盤Ｂｂにその裏面から設けた大入賞口アクチュエータ７０ａ（図７参照）により、開閉駆動される。
【００４１】
また、当該遊技盤Ｂｂは、普通図柄表示器９０、第１及び第２の特別図柄表示器１００ａ、１００ｂ（図７参照）、並びに普通図柄保留表示器（図示しない）及び第１及び第２の特別図柄保留表示器（図示しない）を備えている。これら普通図柄表示器９０、第１及び第２の特別図柄表示器１００ａ、１００ｂは、上記普通図柄保留表示器及び上記第１及び第２の特別図柄保留表示器と共に、ガイドレール２０の右下側にて、遊技盤Ｂｂの盤面１１の右下隅角部に配設されている。
【００４２】
普通図柄表示器９０は、スルーゲート５０を通過する遊技球に対する図柄抽選の結果に基づき、当たり図柄或いははずれ図柄を表示する。
【００４３】
第１特別図柄表示器１００ａは、遊技球の第１始動入賞口装置３０への入賞に対する第１始動入賞口センサＳ１の検出出力に基づきなされる大当たり抽選に応じて、第１特別図柄を所定時間の間変動表示した後、当該大当たり抽選の結果に応じた第１特別図柄を停止表示する。例えば、大当たり抽選の結果が当たりであれば、第１特別図柄表示器１００ａは、当該当たりに対応した第１特別図柄を停止表示して、大入賞口装置７０による大入賞口の開放の契機を提供する。
【００４４】
第２特別図柄表示器１００ｂは、遊技球の第２始動入賞口装置４０への入賞に対する第２始動入賞口センサＳ２の検出出力に基づきなされる大当たり抽選に応じて、第２特別図柄を所定時間の間変動表示した後、当該大当たり抽選の結果に応じた第２特別図柄を停止表示する。
【００４５】
上記普通図柄保留表示器は、普通図柄の変動中或いは第２始動入賞口装置４０の作動中にスルーゲート５０を通過する遊技球に対するゲートセンサＳ３の検出回数（遊技球の通過数）に応じて、複数の普通図柄保留ランプを、順次、点灯する。
【００４６】
上記第１特別図柄保留表示器は、第１及び第２の特別図柄表示器１００ａ、１００ｂのいずれか一方による特別図柄の変動表示中の場合において、遊技球の第１始動入賞口装置３０への入賞に対する第１始動入賞口センサＳ１の検出出力毎に特別図柄の変動表示を保留する。
【００４７】
上記第２特別図柄保留表示器は、第１及び第２の特別図柄表示器１００ａ、１００ｂのいずれか一方による特別図柄の変動表示中の場合において、遊技球の第２始動入賞口装置４０への入賞に対する第２始動入賞口センサＳ２の検出出力毎に特別図柄の変動表示を保留する。
【００４８】
演出表示装置８０は、図２或いは図８にて示すごとく、表示パネル８０ａと、表示駆動回路８０ｂとを備えている。表示パネル８０ａは、液晶パネルからなるもので、この表示パネル８０ａは、遊技板１０の中央開口部１３にその裏面側から組み付けられている。
【００４９】
しかして、演出表示装置８０は、遊技の進行に伴い、表示駆動回路８０ｂによる駆動に基づき、表示パネル８０ａにより、例えば、大当たり抽選の結果を、１〜９等の数字を付した複数の装飾図柄でもって表示したり、キャラクタの登場やアイテムの出現による予告演出を表示したり、或いは、リーチ演出として各種の動画像を表示する等の演出のための色々な演出画像を演出表示するようになっている。
【００５０】
当該遊技機本体Ｂは、図３或いは図４にて示すごとく、球タンク１１０、タンクレールユニット１２０及び球払い出しユニット１３０を備えている。
【００５１】
球タンク１１０は、遊技板１０の右上側隅角部（図３にて図示左上隅角部）にその後側から取り付けられている。当該球タンク１１０は、略直方体形状の箱体からなるもので、当該球タンク１１０は、図４にて示すごとく、開口部１１１及び球供給口部１１２を有している。
【００５２】
ここで、開口部１１１は、球タンク１１０の上端部にて、略矩形状に開口形成されている。しかして、当該球タンク１１０は、その内部にて、その上方から開口部１１１を通して供給される遊技球を、複数、貯留するようになっている。また、球供給口部１１２は、球タンク１１０の左側部位（図４にて図示右側部）の下部にて開口形成されている。しかして、球タンク１１０は、その内部における複数の貯留遊技球を、球供給口部１１２から順次タンクレールユニット１２０内に供給する。
【００５３】
タンクレールユニット１２０は、球タンク１１０の左側（図４にて図示右側）にて、遊技板１０の上側部にその後側から取り付けられている。しかして、当該タンクレールユニット１２０は、球タンク１１０からその球供給口部１１２を通し供給される複数の遊技球を順次球払い出しユニット１３０内に向けて案内する。
【００５４】
球払い出しユニット１３０は、払い出し本体１３０ａと、払い出し通路１３０ｂとを備えており、払い出し本体１３０ａは、遊技板１０の左縁部（図３にて図示右縁部）に沿いその後側から上下方向に組み付けられている。
【００５５】
払い出し本体１３０ａは、タンクレールユニット１２０から案内される複数の遊技球を、順次、払い出しモータ（図示しない）により、払い出し通路１３０ｂ内に払い出すようになっている。
【００５６】
また、払い出し通路１３０ｂは、払い出し本体１３０ａの下端部から右側（図３にて図示左側）へＬ字状に折れ曲がって延出するように、遊技板１０にその後側から組み付けられており、当該払い出し通路１３０ｂは、払い出し本体１３０ａから払い出される遊技球を順次皿３９１の開口部３９１ａ（図１参照）内に貯留すべく供給する。
【００５７】
当該遊技機本体Ｂは、図３及び図４にて示すごとく、裏ユニット１４０を備えている。当該裏ユニット１４０は、電源盤１４０ａ、主制御盤１４０ｂ、副制御盤１４０ｃ及び球発射制御盤１４０ｄを有している。
【００５８】
電源盤１４０ａは、電源回路ＰＳ（図８参照）を内蔵して、遊技板１０の右下側部位にその後側から取り付けられている。主制御盤１４０ｂは、主制御装置４００（図７参照）を内蔵して、遊技板１０の上下方向中間部位にその後側から取り付けられている。副制御盤１４０ｃは、副制御装置５００（図８参照）を内蔵して、演出表示装置８０に対応する位置にて、遊技板１０の上下方向中間部位にその後側から取り付けられている。球発射制御盤１４０ｄは、遊技板１０の左下側部位にその後側から取り付けられており、当該球発射制御盤１４０ｄは、上述のごとく、球発射装置を内蔵してなるものである。
【００５９】
次に、前扉ＦＤの構成について詳細に説明する。当該前扉ＦＤは、図１、図５及び図６のいずれかにより示すごとく、前枠２００ａを有しており、この前枠２００ａは、その左側縁部にて、機枠Ｆの左側縁部に前後方向に開閉可能に支持されている。
【００６０】
また、当該前扉ＦＤは、図１或いは図２にて示すごとく、透明板２００ｂを有しており、当該透明板２００ｂは、前枠２００ａの中空部に嵌め込まれている。従って、遊技者は、透明板２００ｂを通して、遊技盤Ｂｂの盤面１１のうち少なくとも遊技領域１２を視認可能となっている。
【００６１】
また、当該前扉ＦＤは、図１或いは図２にて示すごとく、左側電飾部材３００ａ、右側電飾部材３００ｂ及び上側演出部材３００ｃを備えている。
【００６２】
左側電飾部材３００ａは、中側電飾部３１０及び上下両側電飾部３２０、３３０でもって構成されている。
【００６３】
中側電飾部３１０は、前枠２００ａの左側枠部の上下方向中間部位に沿い長手状に設けられており、当該中側電飾部３１０は、長手湾曲状レンズ３１１（図１、図２参照）及び複数の発光ダイオード３１２〜３１４（図２或いは図６参照）を備えている。長手湾曲状レンズ３１１は、透明な樹脂材料でもって、横断面湾曲状にて長手帯状に形成されており、当該長手湾曲状レンズ３１１は、図２から明らかなごとく、複数の発光ダイオード３１２〜３１４を覆蓋するように、前枠２００ａの左側枠部の上下方向中間部位に沿い設けられている。ここで、長手湾曲状レンズ３１１の横断面形状は、前枠２００ａの左側枠部の上下方向中間部位から前方へ凸な湾曲形状となっている。
【００６４】
また、複数の発光ダイオード３１２〜３１４は、前枠２００ａの左側枠部の上下方向中間部位に沿い設けた帯状基板３１５（図６参照）に沿い下方から上方にむけて間隔をおいて列状に取り付けられており、複数の発光ダイオード３１２〜３１４は、それぞれ、３色（ＲＧＢ）発光ダイオードにより構成されている。
【００６５】
しかして、当該各発光ダイオード３１２〜３１４は、共に或いは選択的に色彩発光し、長手状湾曲レンズ３１１を通して前方に向けて投光する。このことは、中側電飾部３１０が、前枠２００ａの左側枠部の上下方向中間部位にて、各発光ダイオード３１２〜３１４により、フルカラーでもって、前方に向けて電飾演出を行うことを意味する。
【００６６】
上側電飾部３２０は、中側電飾部３１０にその上側にて隣接するように、前枠２００ａの左側枠部の上部及び上側枠部の左側部位に亘り設けられており、当該上側電飾部３２０は、レンズ３２１（図１、図２参照）及び複数の発光ダイオード３２２〜３２４（図２或いは図６参照）を備えている。
【００６７】
レンズ３２１は、透明な樹脂材料でもって、図１及び図２にて示すような形状を有するように形成されている。当該レンズ３２１は、平板状レンズ部３２１ａ及び両湾曲状レンズ部３２１ｂ、３２１ｃを備えており、湾曲レンズ部３２１ａは、前枠２００ａの左側枠部の上端部に当該上端部から前方へ延出するように設けられている。
【００６８】
湾曲状レンズ部３２１ｂは、平板状レンズ部３２１ａの右端部から下方へ延出しており、当該湾曲状レンズ部３２１ｂは、その横断面形状にて、左側へ緩やかに凸な湾曲形状となるように形成されている。また、湾曲状レンズ部３２１ｃは、その横断面にて、前方に向けて緩やかに凸な湾曲形状となるように、透明な樹脂材料でもって形成されている。
【００６９】
しかして、レンズ３２１は、平板状レンズ部３２１ａ、湾曲状レンズ部３２１ｂ、３２１ｃでもって、複数の発光ダイオード３２２〜３２４を覆蓋するように、前枠２００ａの左側枠部の上部及び上側枠部の左側部位に亘り設けられている。
【００７０】
また、複数の発光ダイオード３２２〜３２４は、図６にて示すごとく、前枠２００ａの左側枠部の上部及び前枠２００ａの上側枠部の左側部位に亘り設けた帯状基板３２６に沿い下方から斜め右側上方にむけて間隔をおいて列状に取り付けられており、複数の発光ダイオード３２２〜３２４は、それぞれ、３色（ＲＧＢ）発光ダイオードにより構成されている。
【００７１】
しかして、当該各発光ダイオード３２２〜３２４は、共に或いは選択的に色彩発光し、レンズ３２１の平板状レンズ部３２１ａ及び両湾曲状レンズ部３２１ｂ、３２１ｃを通して外方に向けて投光する。このことは、上側電飾部３２０が、前枠２００ａの左側枠部の上部及び上側枠部の左側部位にて、各発光ダイオード３２２〜３２４により、フルカラーでもって、電飾演出を行うことを意味する。
【００７２】
下側電飾部３３０は、中側電飾部３１０にその下側にて隣接するように、前枠２００ａの左側枠部の下部及び前枠２００ａの下側枠部の左側部位に亘り設けられており、当該下側電飾部３３０は、レンズ３３１（図１、図２参照）及び複数の発光ダイオード３３２〜３３５（図２或いは図６参照）を備えている。
【００７３】
レンズ３３１は、透明な樹脂材料でもって、図１及び図２にて示すような形状を有するように形成されている。当該レンズ３３１は、長手湾曲状レンズ部３３１ａと、湾曲Ｙ字状レンズ部３３１ｂとを備えている。
【００７４】
長手湾曲状レンズ部３３１ａは、透明な樹脂材料でもって、前方へ緩やかに凸な湾曲形状となるように形成されており、当該長手湾曲状レンズ部３３１ａは、長手湾曲状レンズ３１１にその下側にて隣接するように、前枠２００ａの左側枠部の下部に設けられている。
【００７５】
また、湾曲Ｙ字状レンズ部３３１ｂは、透明な樹脂材料でもって、前方へ緩やかに凸な湾曲形状となるように形成されており、当該湾曲Ｙ字状レンズ部３３１ｂは、図１或いは図２にて示すごとく、長手湾曲状レンズ部３３１ａの右側中間部位から前枠２００ａの下側枠部の左側部位にかけてＹ字状に延出するように形成されている。
【００７６】
複数の発光ダイオード３３２〜３３５は、図６にて示すごとく、前枠２００ａの左側枠部の下部及び前枠２００ａの下側枠部の左側部位に亘り設けた帯状基板３３６に沿い間隔をおいて取り付けられている。ここで、両発光ダイオード３３２、３３３は、湾曲Ｙ字状レンズ部３３１ｂにより覆われるように、帯状基板３３６に配設されており、残りの両発光ダイオード３３４、３３５は、長手湾曲状レンズ部３３１ａにより覆われるように、帯状基板３３６に配設されている。
【００７７】
複数の発光ダイオード３３２〜３３５は、それぞれ、３色（ＲＧＢ）発光ダイオードにより構成されており、両発光ダイオード３３２、３３３は、共に或いは選択的に色彩発光し、湾曲Ｙ字状レンズ部３３１ｂを通して前方に向けて投光し、一方、残りの発光ダイオード３３４、３３５は、長手湾曲状レンズ部３３１ａを通して前方に向けて投光する。このことは、下側電飾部３３０が、前枠２００ａの左側枠部の下部及び前枠２００ａの下側枠部の左側部位に亘り、複数の発光ダイオード３３２〜３３５により、フルカラーにて、電飾演出を行うことを意味する。
【００７８】
以上のように構成してなる中側電飾部３１０及び上下両側電飾部３２０、３３０は、左側電飾部材３００ａとしての電飾演出を行う。
【００７９】
右側電飾部材３００ｂは、中側電飾部３４０及び上下両側電飾部３５０、３６０でもって構成されている。
【００８０】
中側電飾部３４０は、前枠２００ａの右側枠部の上下方向中間部位に沿い長手状に設けられており、当該中側電飾部３４０は、長手湾曲状レンズ３４１（図１、図２参照）及び複数の発光ダイオード３４２〜３４４（図２或いは図６参照）を備えている。
【００８１】
長手湾曲状レンズ３４１は、透明な樹脂材料でもって、横断面湾曲状にて長手帯状に形成されており、当該長手湾曲状レンズ３４１は、図１、図２及び図６から明らかなごとく、複数の発光ダイオード３４２〜３４４を覆蓋するように、前枠２００ａの右側枠部の上下方向中間部位に沿い設けられている。ここで、長手湾曲状レンズ３４１の横断面形状は、前枠２００ａの右側枠部の上下方向中間部位から前方へ凸な湾曲形状となっている。
【００８２】
また、複数の発光ダイオード３４２〜３４４は、前枠２００ａの右側枠部の上下方向中間部位に沿い設けた帯状基板３４５(図６参照)に沿い下方から上方にむけて間隔をおいて列状に取り付けられており、複数の発光ダイオード３４２〜３４４は、それぞれ、３色（ＲＧＢ）発光ダイオードにより構成されている。
【００８３】
しかして、当該各発光ダイオード３４２〜３４４は、共に或いは選択的に色彩発光し、長手状湾曲レンズ３４１を通して前方に向けて投光する。このことは、中側電飾部３４０が、前枠２００ａの右側枠部の上下方向中間部位にて、各発光ダイオード３４２〜３４４により、フルカラーにて、電飾演出を行うことを意味する。
【００８４】
上側電飾部３５０は、中側電飾部３４０にその上側にて隣接するように、前枠２００ａの右側枠部の上部及び前枠２００ａの上側枠部の右側部位に亘り設けられており、当該上側電飾部３５０は、レンズ３５１（図１、図２参照）及び複数の発光ダイオード３５２〜３５４（図２或いは図６参照）を備えている。
【００８５】
レンズ３５１は、透明な樹脂材料でもって、図１及び図２にて示すような形状を有するように形成されている。当該レンズ３５１は、平板状レンズ部３５１ａ及び両湾曲状レンズ部３５１ｂ、３５１ｃを備えており、湾曲レンズ部３５１ａは前枠２００ａの右側枠部の上端部に当該上端部から前方へ延出するように設けられている。
【００８６】
湾曲状レンズ部３５１ｂは、平板状レンズ部３５１ａの左端部から下方へ延出しており、当該湾曲状レンズ部３５１ｂは、その横断面形状にて、右側へ緩やかに凸な湾曲形状となるように形成されている。
【００８７】
また、湾曲状レンズ部３５１ｃは、透明な樹脂材料でもって、前方へ緩やかに凸な湾曲形状となるような横断面形状にて、形成されている。
【００８８】
しかして、レンズ３５１は、平板状レンズ部３５１ａ及び湾曲状レンズ部３５１ｂ、３５１ｃでもって、複数の発光ダイオード３５２〜３５４を覆蓋するように、前枠２００ａの右側枠部の上部及び前枠２００ａの上側枠部の右側部位に亘り設けられている。
【００８９】
また、複数の発光ダイオード３５２〜３５４は、図６にて示すごとく、前枠２００ａの右側枠部の上部及び前枠２００ａの上側枠部の右側部位に亘り設けた帯状基板３５５に沿い間隔をおいて列状に取り付けられており、複数の発光ダイオード３５２〜３５４は、それぞれ、３色（ＲＧＢ）発光ダイオードにより構成されている。
【００９０】
しかして、当該各発光ダイオード３５２〜３５４は、共に或いは選択的に色彩発光し、レンズ３５１の平板状レンズ部３５１ａ及び両湾曲状レンズ部３５１ｂ、３５１ｂを通して外方に向けて投光する。このことは、上側電飾部３５０が、前枠２００ａの右側枠部の上部及び上側枠部の右側部位にて、各発光ダイオード３５２〜３５４により、フルカラーにて、電飾演出を行うことを意味する。
【００９１】
下側電飾部３６０は、中側電飾部３４０にその下側にて隣接するように、前枠２００ａの右側枠部の下部及び前枠２００ａの下側枠部の右側部位に亘り設けられており、当該下側電飾部３６０は、レンズ３６１（図１、図２参照）及び複数の発光ダイオード３６２〜３６５（図２或いは図６参照）を備えている。
【００９２】
レンズ３６１は、透明な樹脂材料でもって、図１及び図２にて示すような形状を有するように形成されている。当該レンズ３６１は、長手湾曲状レンズ部３６１ａと、湾曲Ｙ字状レンズ部３６１ｂとを備えている。
【００９３】
長手湾曲状レンズ部３６１ａは、透明な樹脂材料でもって、前方へ緩やかに凸な湾曲形状となるように形成されており、当該長手湾曲状レンズ部３６１ａは、長手湾曲状レンズ３５１にその下側にて隣接するように、前枠２００ａの右側枠部の下部に設けられている。
【００９４】
また、湾曲Ｙ字状レンズ部３６１ｂは、透明な樹脂材料でもって、前方へ緩やかに凸な湾曲形状となるように形成されており、当該湾曲Ｙ字状レンズ部３６１ｂは、図２にて示すごとく、長手湾曲状レンズ部３６１ａの左側中間部位から前枠２００ａの下側枠部の右側部位にかけてＹ字状に延出するように形成されている。
【００９５】
複数の発光ダイオード３６２〜３６５は、図６にて示すごとく、前枠２００ａの右側枠部の下部及び前枠２００ａの下側枠部の右側部位に亘り設けた帯状基板３６６に沿い間隔をおいて取り付けられている。ここで、両発光ダイオード３６２、３６３は、湾曲Ｙ字状レンズ部３６１ｂにより覆われるように、帯状基板３６６に配設されており、残りの両発光ダイオード３６４、３６５は、長手湾曲状レンズ部３６１ａにより覆われるように、帯状基板３３６に配設されている。
【００９６】
複数の発光ダイオード３６２〜３６５は、それぞれ、３色（ＲＧＢ）発光ダイオードにより構成されており、両発光ダイオード３６２、３６３は、共に或いは選択的に色彩発光し、湾曲Ｙ字状レンズ部３６１ｂを通して前方に向けて投光し、一方、残りの発光ダイオード３６４、３６５は、長手湾曲状レンズ部３６１ａを通して前方に向けて投光する。このことは、下側電飾部３６０が、前枠２００ａの右側枠部の下部及び前枠２００ａの下側枠部の右側部位にて、複数の発光ダイオード３６２〜３６５により、フルカラーにて、電飾演出を行うことを意味する。
【００９７】
以上のように構成される中側電飾部３４０及び上下両側電飾部３５０、３６０は、右側電飾部材３００ｂとしての電飾演出を行う。より詳細には、右側電飾部材３００ｂは、左側電飾部材３００ａと相俟って、大当たり遊技等の各種の遊技に応じて点滅パターンや異なる発光色等でもって種々の演出を行う。
【００９８】
ここで、左側電飾部材３００ａと右側電飾部材３００ｂとの間の構成上の相関関係について説明すると、右側電飾部材３００ａは、湾曲状レンズの構成を除き、前扉ＦＤの左右方向中心線を基準として、左側電飾部材３００ａとは左右対称的に構成されている。
【００９９】
右側電飾部材３００ｂは、本第１実施形態においては、図１及び図５のいずれかにて示すごとく、前扉ＦＤの前枠２００ａの前面を基準として、左側電飾部材３００ａよりも前方へ膨出するように形成されている。
【０１００】
具体的には、右側電飾部材３００ｂにおける中側電飾部３４０の湾曲レンズ３４１、上側電飾部３５０の湾曲レンズ３５１及び下側電飾部３６０の湾曲レンズ３６１は、それぞれ、図１及び図５のいずれかにて示すごとく、左側電飾部材３００ａにおける中側電飾部３１０の湾曲レンズ３１１、上側電飾部３２０の湾曲レンズ３２１及び下側電飾部３３０の湾曲レンズ３３１よりも前方へ膨出するように形成されている。
【０１０１】
これにより、右側電飾部材３００ｂは、その各発光ダイオードからの光でもって、左側電飾部材３００ａよりも広範囲に亘り前方を照らすようになっている。
【０１０２】
上側演出部材３００ｃは，図２にて示すごとく、上側電飾部３７０及び両音演出部３８０を備えている。
【０１０３】
上側電飾部３７０は、前枠２００ａの上側枠部の中央部位に沿い左右方向に長手状に設けられており、当該上側電飾部３７０は、長手状湾曲レンズ部３７１（図１、図２参照）と、複数の発光ダイオード３７２、３７３（図２或いは図６参照）を備えている。
【０１０４】
長手湾曲状レンズ３７１は、透明な樹脂材料でもって、横断面湾曲状にて長手帯状に形成されており、当該長手湾曲状レンズ３７１は、図１及び図２のいずれかから明らかなごとく、複数の発光ダイオード３７２、３７３を覆蓋するように、前枠２００ａの上側枠部の左右方向中間部位に沿い設けられている。ここで、長手湾曲状レンズ３７１の横断面形状は、前枠２００ａの上側枠部の左右方向中間部位から前方へ凸な湾曲形状となっている。
【０１０５】
また、複数の発光ダイオード３７２、３７３は、前枠２００ａの上側枠部の左右方向中間部位に沿い設けた帯状基板３７４（図６参照）に沿い左右方向に間隔をおいて列状に取り付けられており、複数の発光ダイオード３７２、３７３は、それぞれ、３色（ＲＧＢ）発光ダイオードにより構成されている。
【０１０６】
しかして、当該各発光ダイオード３７２、３７３は、共に或いは選択的に色彩発光し、長手状湾曲レンズ３７１を通して前方に向けて投光する。このことは、上側電飾部３７０が、前枠２００ａの上側枠部の左右方向中間部位にて、各発光ダイオード３７２、３７３でもって、フルカラーにて、電飾演出を行うことを意味する。
【０１０７】
両音演出部３８０は、図２にて示すごとく、上側電飾部３７０の左右両側にて、前枠２００ａの上側枠部に設けられており、両音演出部３８０は、それぞれ、その内蔵のスピーカＳＰ（図１参照）により、上側電飾部３７０の電飾演出と相俟って、楽曲、音声や効果音等を発する種々の音による演出を行う。
【０１０８】
前扉ＦＤは、図１、図２及び図５のいずれかにて示すごとく、皿部材３９０及び上記球発射装置を備えている。皿部材３９０は、前枠２００ａの下側枠部に前側へ膨出するように形成されている。当該皿部材３９０は、皿本体３９０ａと、左右両側皿電飾部材３９０ｂ、３９０ｃと、演出ボタン装置３９０ｄとを備えている。
【０１０９】
皿本体３９０ａは、前枠２００ａの下側枠部に前側へ膨出するように形成されており、当該皿本体３９０ａ内には、皿３９１が、その開口部３９１ａにて上方へ開口するように、凹状に形成されている（図１参照）。これにより、当該皿３９１は、球貸し出しユニットＵ（後述する）から払い出される遊技球を貯留するようになっている。
【０１１０】
左右両側皿電飾部材３９０ｂ、３９０ｃのうち、左側皿電飾部材３９０ｂは、長手湾曲状レンズ３９２を備えている。当該長手湾曲状レンズ３９２は、透明の樹脂材料でもって、長手湾曲状に形成されており、当該長手湾曲状レンズ３９２は、下側電飾部材３３０の湾曲Ｙ字状レンズ部３３１ｂの長手方向中間部位（皿本体３９０ａの皿３９１の左側開口端部に対応）から皿本体３９０ａの膨出表面に沿い斜め右下方に向けて延出している。ここで、長手湾曲状レンズ３９２の横断面形状は、前方へ凸な緩やかな湾曲状に形成されている。
【０１１１】
また、当該左側皿電飾部材３９０ｂは、複数の発光ダイオード３９３（図２参照）を有しており、当該複数の発光ダイオード３９３は、長手湾曲状レンズ３９２に覆蓋されるように、当該長手湾曲状レンズ３９２の長手方向に沿い間隔をおいて基板（図示しない）に配設されている。
【０１１２】
当該複数の発光ダイオード３９３は、それぞれ、３色（ＲＧＢ）発光ダイオードにより構成されており、両発光ダイオード３９３は、共に或いは選択的に色彩発光し、長手湾曲状レンズ３９２を通して前方に向けて投光する。
【０１１３】
一方、右側皿電飾部材３９０ｃは、長手湾曲状レンズ３９４を備えている。当該長手湾曲状レンズ３９４は、透明の樹脂材料でもって、長手湾曲状に形成されており、当該長手湾曲状レンズ３９４は、下側電飾部材３３０の湾曲Ｙ字状レンズ部３６１ｂの長手方向中間部位（皿本体３９０ａの皿３９１の右側開口端部に対応）から皿本体３９０ａの膨出表面に沿い斜め左下方に向けて延出している。ここで、長手湾曲状レンズ３９４の横断面形状は、前方へ凸な緩やかな湾曲状に形成されている。
【０１１４】
また、当該右側皿電飾部材３９０ｃは、複数の発光ダイオード３９５（図２参照）を有しており、当該複数の発光ダイオード３９５は、長手湾曲状レンズ３９４に覆蓋されるように、当該長手湾曲状レンズ３９４の長手方向に沿い間隔をおいて基板（図示しない）に配設されている。
【０１１５】
当該複数の発光ダイオード３９５は、それぞれ、３色（ＲＧＢ）発光ダイオードにより構成されており、複数の発光ダイオード３９５は、共に或いは選択的に色彩発光し、長手湾曲状レンズ３９４を通して前方に向けて投光する。
【０１１６】
以上のように構成してなる左側皿電飾部材３９０ｂ及び右側皿電飾部材３９０ｃは、それぞれ、長手湾曲状レンズ３９２及び長手湾曲状レンズ３９４を介し、複数の発光ダイオード３９３及び複数の発光ダイオード３９５により、フルカラーにて、電飾演出を行うことを意味する。
【０１１７】
演出ボタン装置３９０ｄは、図１或いは図２にて示すごとく、皿本体３９０ａの左右方向中央上部（皿３９１の開口部３９１ａの右側部位近傍）内に設けられている。当該演出ボタン装置３９０ｄは、演出ボタン３９６（図１参照）を備えており、当該演出ボタン３９６は、遊技者により、演出表示装置８０による押動指示表示に従い、押動操作される。なお、演出ボタン３９６の押動操作は、演出ボタンスイッチ３９７（図８参照）により検出される。
【０１１８】
本第１実施形態では、皿部材３９０は、右側電飾部材３００ｂよりも前方へ膨出している。具体的には、右側電飾部材３００ｂにおいては、上側電飾部３５０のレンズ３５１が、中側電飾部３４０の長手湾曲状レンズ３４１及び下側電飾部３６０の湾曲レンズ３６１よりも前方へ膨出している。このことから、皿部材３９０は、その皿本体３９０ａ及び両長手湾曲状レンズ３９２、３９４のうちの最も前方へ膨出している部位（膨出先端部位）にて、上側電飾部３５０のレンズ３５１の先端部位（膨出先端部位）よりも前方へ膨出することで、皿部材３９０は、前扉ＦＤの前枠２００ａの前面を基準として、右側電飾部材３００ｂよりも前方へ膨出している。
【０１１９】
上記球発射装置は、その構成部品として、上記ハンドルを備えて、前扉ＦＤを遊技機本体Ｂに対し閉じた状態にあるとき、遊技者による上記ハンドルの回動操作により、球送り装置（図示しない）から順次送られる遊技球を、上記ハンドルの回動角度に応じた打球力でもって、発射レール（図示しない）に沿い、ガイドレール２０の内側レール部２１と外側レール部２２との間を通り遊技盤Ｂｂの盤面１１に向けて所定の時間間隔にて順次打ち出すようになっている。なお、上記球送り装置は、皿部材３９０の皿３９１内の貯留遊技球を順次供給されて上記発射レール上に送る。
【０１２０】
球貸し出しユニットＵは、当該パチンコ遊技機の左側に沿い上記島設備に立設されている（図２参照）。当該球貸し出しユニットＵは、遊技者によるカードの挿入のもとに、所定数の遊技球を貸し出して、ノズルＵａから皿部材３９０の皿３９１内に払い出すようになっている。
【０１２１】
ここで、ノズルＵａは、図２にて示すごとく、球貸し出しユニットＵの本体のケーシングから皿３９１の開口部に向けて延出されている。このような構成に起因して、左側電飾部材３００ａの膨出長さが、前扉ＦＤの前枠２００ａの前面を基準として、右側電飾部材３００ｂの膨出長さよりも小さくなるように設定されている。これは、ノズルＵａを球貸し出しユニットＵのケーシングから前扉ＦＤの左側前部位の前側を介し皿３９１の開口部に向けて延出させるためである。
【０１２２】
次に、当該パチンコ遊技機の電子制御システムについて説明すると、当該電子制御システムは、図７或いは図８にて示すごとく、センサ群Ｓ、第１被駆動素子群ＤＲＶ１、第２被駆動素子群ＤＲＶ２、主制御装置４００及び副制御装置５００を備えている。
【０１２３】
センサ群Ｓは、図７にて示すごとく、第１始動入賞口センサＳ１、第２始動入賞口センサＳ２、ゲートセンサＳ３、各普通入賞口センサＳ４及び大入賞口センサＳ５でもって構成されている。
【０１２４】
第１始動入賞口センサＳ１は、第１始動入賞口装置３０の第１始動入賞口内に設けられており、この第１始動入賞口センサＳ１は、上記第１始動入賞口内に入賞する遊技球毎に当該遊技球の入賞を検出する。
【０１２５】
第２始動入賞口センサＳ２は、第２始動入賞口装置４０の第２始動入賞口内に設けられており、この第２始動入賞口センサＳ２は、第２始動入賞口装置４０の第２始動入賞口に入賞する遊技球毎に当該遊技球の入賞を検出する。
【０１２６】
ゲートセンサＳ３は、スルーゲート５０内に設けられており、このゲートセンサＳ３は、スルーゲート５０を通過する遊技球毎に当該遊技球の通過を検出する。各普通入賞口センサＳ４は、各対応の普通入賞口装置６０の普通入賞口内に設けられており、当該各普通入賞口センサＳ４は、それぞれ、各対応の普通入賞口装置６０の普通入賞口内に入賞する遊技球毎に、当該各遊技球の入賞を検出する。
【０１２７】
大入賞口センサＳ５は、大入賞口装置７０の大入賞口内に設けられており、この大入賞口センサＳ５は、上記大入賞口内への遊技球の入賞毎に当該遊技球の入賞を検出する。
【０１２８】
主制御装置４００は、上述したごとく、主制御盤１４０ｂに内蔵されており、当該主制御装置４００は、図７及び図８から分かるように、センサ群Ｓ、第１被駆動素子群ＤＲＶ１及び副制御装置５００の間に接続されている。
【０１２９】
当該主制御装置４００は、マイクロコンピュータからなるもので、この主制御装置４００は、図７にて示すごとく、入力ポート４１０、各出力ポート４２０ａ、４２０ｂ、４２０ｃ、ＣＰＵ４３０、ソフトタイマー４４０、ＲＯＭ４５０及びＲＡＭ４６０を備えている。
【０１３０】
しかして、主制御装置４００は、ＣＰＵ４３０により、ソフトタイマー４４０からのパルス信号の発生ごとに、図９〜図１１にて示すフローチャートに従い主制御プログラムであるタイマー割り込みプログラムを実行する。
【０１３１】
このタイマー割り込みプログラムの実行中において、主制御装置４００は、ＣＰＵ４３０により、センサ群Ｓからの出力に基づき、第１被駆動素子群ＤＲＶ１及び副制御装置５００の制御に要する種々の演算処理を行う。
【０１３２】
例えば、主制御装置４００は、第１始動入賞口センサＳ１、第２始動入賞口センサＳ２、各普通入賞口センサＳ４及び大入賞口センサＳ５の各検出出力に基づき、副制御装置５００の払い出し制御部５００ａ（後述する）に対し賞球コマンドを出力する。
【０１３３】
また、主制御装置４００は、上述した普通図柄抽選や大当たり抽選を行う。当該主制御装置４００は、例えば、ゲートセンサＳ３の検出出力に基づき、第２始動入賞口装置４０を開閉するための普通図柄抽選を行い、この普通図柄抽選で当選したとき、電チューアクチュエータ４０ａを介して第２始動入賞口装置４０を駆動して所定時間の間所定回数開閉する。
【０１３４】
また、主制御装置４００は、第１始動入賞口センサＳ１或いは第２始動入賞口センサＳ２の検出出力に基づき上記第１始動入賞口或いは上記第２始動入賞口への遊技球の入賞に対応する大当たり抽選を行い、第１特別図柄表示器１００ａ或いは第２特別図柄表示器１００ｂにおける特別図柄の変動表示を開始する。また、主制御装置４００は、第１特別図柄表示器１００ａ或いは第２特別図柄表示器１００ｂにおける特別図柄の変動表示の開始に伴い、当該変動表示の停止までの間に、副制御装置５００のシステム制御部５００ｂ（後述する）に対し大当たり抽選の結果に応じた演出を行うようにコマンドその他の信号を出力する。
【０１３５】
また、第１始動入賞口センサＳ１或いは第２始動入賞口センサＳ２が上記第１始動入賞口或いは上記第２始動入賞口への遊技球の入賞を検出したとき、特別図柄の変動表示中であれば、主制御装置４００は、上記第１始動入賞口或いは上記第２始動入賞口への遊技球の入賞に伴う特別図柄の変動表示を保留して、当該保留を表示するように上記第１特別図柄保留表示器或いは上記第２特別図柄保留表示器を制御する。
【０１３６】
そして、先の特別図柄の変動表示が停止すると、主制御装置４００は、保留しておいた遊技データを読み出して大当たりの抽選を行い、その保留に基づく特別図柄の変動表示を開始するように上記第１特別図柄保留表示器或いは上記第２特別図柄保留表示器を制御するとともに、副制御装置５００のシステム制御部５００ｂ（後述する）に対し演出表示装置８０における装飾図柄の図柄変動表示を開始するようにコマンドその他の信号を出力する。
【０１３７】
このように、遊技球が上記第１始動入賞口或いは上記第２始動入賞口に対し連続的に入賞する場合には、主制御装置４００は、先の特別図柄の図柄変動表示の停止まで次回の特別図柄の図柄変動表示を保留し、先の特別図柄の図柄変動表示の終了に伴い、当該特別図柄の図柄変動表示の保留を順次消化するように上記第１特別図柄保留表示器或いは上記第２特別図柄保留表示器を制御する。
【０１３８】
また、主制御装置４００は、大当たり抽選の結果、大当たりに当選している場合には、特別図柄の図柄変動表示を所定時間行った後に当該特別図柄を停止するように、第１特別図柄表示器１００ａ或いは第２特別図柄表示器１００ｂを制御する。そして、特別図柄を当選図柄で停止させる場合には、主制御装置４００は、当該当たりの種別に対応した大入賞口装置７０の開閉遊技に移行し大入賞口アクチュエータ７０ａによる駆動のもとに大入賞口装置７０を開閉するように制御する。これに伴い、主制御装置４００は、その当たりの種類に応じた大入賞口装置７０の開閉遊技中の演出を行うように、コマンドその他の信号を副制御装置５００に出力する。
【０１３９】
以上述べたような演算処理の過程において、主制御装置４００は、ＣＰＵ４３０にて、ＲＯＭ４５０の記憶データ、ＲＡＭ４６０内の一時的記憶データ、或いは入力ポート４１０を介するセンサ群Ｓからの検出出力を、入力されて、種々の演算処理を行い、各出力ポート４２０ａ〜４２０ｃを介する第１被駆動素子群ＤＲＶ１及び副制御装置５００への出力処理をする。なお、ソフトタイマー４４０は、当該パチンコ遊技機の電源回路ＰＳ（図８参照）の投入に伴う主制御装置４００の作動開始と同時にリセットされて計時を開始し、この開始後、４（ｍｓ）の経過毎に、上記パルス信号を発生し、ＣＰＵ４３０に出力する。
【０１４０】
ＲＯＭ４５０には、上述したタイマー割り込みプログラムがＣＰＵ４３０により読み出し可能に予め記憶されている。また、ＲＯＭ４５０には、大当たり乱数データ、大当たり図柄乱数データ、リーチ乱数データ、変動パターン乱数データ、当たり乱数データ及び初期値乱数データが、ＣＰＵ４３０により読み出し可能に予め記憶されている。本第１実施形態において、上記大当たり乱数データは、上記第１始動入賞口或いは上記第２始動入賞口への遊技球の入賞に伴う大当たり抽選（大当たり或いはバズレか否かの抽選）に用いられる乱数であり、上記大当たり図柄乱数データは、大当たり抽選で大当たりになったときのこの大当たりの種類を判定するために用いられる図柄乱数であり、また、上記リーチ乱数データは、大当たり抽選でハズレとなったときにリーチ演出をするか否かを判定するために用いられる乱数である。
【０１４１】
さらに、ＲＯＭ４５０には、大当たり乱数テーブル、大当たり図柄乱数テーブル、リーチ乱数テーブル及び当たり乱数テーブルが、ＣＰＵ４３０により読み出し可能に予め記憶されている。
【０１４２】
また、第１被駆動素子群ＤＲＶ１は、図７にて示すごとく、上述した電チューアクチュエータ４０ａ、大入賞口アクチュエータ７０ａ、普通図柄表示器９０、第１特別図柄表示器１００ａ及び第特別図柄表示器１００ｂでもって構成されている。
【０１４３】
副制御装置５００は、図８にて示すごとく、払い出し制御部５００ａ、システム制御部５００ｂ、画像制御部５００ｃ及びランプ制御部５００ｄでもって構成されている。当該副制御装置５００は、主制御装置４００と、第２被駆動素子群ＤＲＶ２及び演出ボタンスイッチ３９１との間に接続されている。
【０１４４】
第２被駆動素子群ＤＲＶ２は、球払い出しユニット１３０の払い出しモータを駆動するモータ駆動回路１３１、表示パネル８０ａを駆動する表示駆動回路８０ｂ及び両スピーカＳＰを駆動する両スピーカ駆動回路ＳＰ１、左側枠発光ダイオード群Ｌ１、右側枠発光ダイオード群Ｌ２、上側枠発光ダイオード群Ｌ３、左側皿発光ダイオード群Ｌ４及び右側皿発光ダイオード群Ｌ５でもって構成されている。
【０１４５】
左側枠発光ダイオード群Ｌ１は、各発光ダイオード３１２〜３１４、３２２〜３２４及び３３２〜３３５でもって構成されている。右側枠発光ダイオード群Ｌ２は、各発光ダイオード３４２〜３４４、３５２〜３５４及び３６２〜３６５でもって構成されている。上側枠発光ダイオード群Ｌ３は、両発光ダイオード群３７２、３７３でもって構成されている。
【０１４６】
また、左側皿発光ダイオード群Ｌ４は、複数の発光ダイオード３９３でもって構成されており、一方、右側皿発光ダイオード群Ｌ５は、複数の発光ダイオード３９５でもって構成されている。
【０１４７】
払い出し制御部５００ａは、マイクロコンピュータからなるもので、この払い出し制御部５００ａは、そのＣＰＵにより、所定の払い出し制御プログラムを、所定のフローチャート（図示しない）に従い実行し、この実行中において、主制御装置４００からの払い出しコマンド制御のもとに、モータ駆動回路１３１を介する上記払い出しモータの駆動制御を行う。例えば、当該払い出し制御部５００ａは、主制御装置４００から賞球コマンドを入力されて、当該賞球コマンドに対応する入賞口に対応して所定数の遊技球を賞球として払い出すように制御する。
【０１４８】
これに伴い、上記払い出しモータは、モータ駆動回路１３１による駆動のもと、遊技機本体Ｂの球タンク１１０から球払い出しユニット１３０内に進入する遊技球を、所定個数ずつ払い出すように回転する。なお、上記払い出しモータは、球払い出しユニット１３０の払い出し本体１３０ａ内に配設されている。
【０１４９】
システム制御部５００ｂは、マイクロコンピュータからなるもので、当該システム制御部５００ｂは、そのＣＰＵにより、演出制御プログラムを、図１２及び図１３にて示すフローチャートに従い実行する。この実行中において、当該システム制御部５００ｂは、主制御装置４００からのコマンドその他の信号や演出ボタンスイッチ３９７の押動操作出力に基づき具体的な演出内容を決定し、画像制御部５００ｃを介し、表示駆動回路８０ｂ及び両スピーカ駆動回路ＳＰ１を共に或いは選択的に駆動制御し、また、ランプ制御部５００ｄを介し、左側枠発光ダイオード群Ｌ１、右側枠発光ダイオード群Ｌ２、上側枠発光ダイオード群Ｌ３、左側皿発光ダイオード群Ｌ４及び右側皿発光ダイオード群Ｌ５の各発光ダイオードを共に或いは選択的に発光駆動制御するように種々の演算処理を行う。なお、上記演出制御プログラムは、システム制御部５００ｂのＣＰＵにより読み出し可能に当該システム制御部５００ｂのＲＯＭに予め記憶されている。
【０１５０】
画像制御部５００ｃは、マイクロコンピュータからなるもので、この画像制御部５００ｃは、そのＣＰＵにより、画像表示制御プログラムを、所定のフローチャート（図示しない）に従い実行し、この実行中において、システム制御部５００ｂからのコマンド等に基づき、表示駆動回路８０ｂ及び両スピーカ駆動回路ＳＰ１を共に或いは選択的に駆動制御するに要する種々の演算処理をする。
【０１５１】
ランプ制御部５００ｄは、マイクロコンピュータからなるもので、このランプ制御部５００ｄは、そのＣＰＵにより、ランプ制御プログラムを、所定のフローチャート（図示しない）に従い実行し、この実行中において、システム制御部５００ｂからのコマンド等に基づき、左側枠発光ダイオード群Ｌ１、右側枠発光ダイオード群Ｌ２、上側枠発光ダイオード群Ｌ３、左側皿発光ダイオード群Ｌ４及び右側皿発光ダイオード群Ｌ５の各発光ダイオードを共に或いは選択的に発光駆動制御するに要する種々の演算処理をする。
【０１５２】
以上のように構成した本第１実施形態において、右側電飾部材３００ｂにおける中側電飾部３４０の湾曲レンズ３４１、上側電飾部３５０の湾曲レンズ３５１及び下側電飾部３６０の湾曲レンズ３６１は、それぞれ、上述したごとく、左側電飾部材３００ａにおける中側電飾部３１０の湾曲レンズ３１１、上側電飾部３２０の湾曲レンズ３２１及び下側電飾部３３０の湾曲レンズ３３１よりも前方へ膨出していることで、右側電飾部材３００ｂは、左側電飾部材３００ａよりも前方へ膨出している。
【０１５３】
しかも、皿部材３９０は、上述したごとく、その膨出先端部位にて、右側電飾部材３００ｂにおける上側電飾部３５０の膨出先端部位よりも前方へ膨出することで、右側電飾部材３００ｂよりも前方へ膨出するように形成されている。
【０１５４】
以上のように、本第１実施形態では、右側電飾部材３００ｂが左側電飾部材３００ａよりも前枠２００ａの前方へ膨出し、かつ、皿部材３９０が右側電飾部材３００ｂよりも前枠２００ａの前方へ膨出している。
【０１５５】
ここで、ホール側では遊技球を当該パチンコ遊技機に対し供給する必要があることから、上述のように、当該パチンコ遊技機の左側に立設される球貸し出し装置Ｕの本体からノズルＵａを介し皿部材３９０の皿３９１の開口部３９１ａ内に遊技球を供給するようになっている。このためには、ノズルＵａを球貸し出し装置Ｕの本体のケーシングから前扉ＦＤの前側左部位を通り皿部材３９０の皿３９１の開口部３９１ａに向けて延出しなければならない。
【０１５６】
このような事情から前扉ＦＤの左側部位は、皿部材３９０よりもパチンコ遊技機の後側へ引っ込むように構成されている。これに伴い、左側電飾部材３００ａも皿部材３９０よりも当該パチンコ遊技機の後側へ引っ込むように構成されている。
【０１５７】
一方、遊技者は、その遊技中において、当該パチンコ遊技機における遊技球の入賞にかかわる部位、つまり、遊技盤Ｂｂの中央に意識的に集中することから、当該遊技者は、前扉ＦＤの中央を通して遊技盤Ｂｂの中央を集中的に視認する傾向にある。従って、当該パチンコ遊技機の外周部に対応する前扉ＦＤの外周部（前扉ＦＤの中央の周り）が構成上何の特徴も有さなければ、遊技者は、前扉ＦＤの外周部にはなかなか眼を向けることがない。
【０１５８】
これでは、当該パチンコ遊技機は、遊技者に対する高い訴求力でもって遊技者の関心を強く引付ける構成とはならない。
【０１５９】
そこで、本第１実施形態では、上述のように、前扉ＦＤにおいて、右側電飾部材３００ｂが左側電飾部材３００ａよりも前方（或いは前側）へ膨出するとともに、皿部材３９０が右側電飾部材３００ｂよりも前方（或いは前側）へ膨出するように構成した。
【０１６０】
これにより、前扉ＦＤにおいて、皿部材３９０、右側電飾部材３００ｂ及び左側電飾部材３００ａの前側への各膨出度合が相互に異なり不均一となることから、遊技者は、当該パチンコ遊技機の中央の周囲（前扉ＦＤの中央の周り）にある左側電飾部材３００ａ、右側電飾部材３００ｂや皿部材３９０に対しても意識的に眼を向けるようになる。
【０１６１】
その結果、遊技者が左側電飾部材３００ａ、右側電飾部材３００ｂ及び皿部材３９０を全体として前扉ＦＤの前側から視認したとき、当該前扉ＦＤの外観（当該パチンコ遊技機の外観）が、高い訴求力でもって強く遊技者の関心を引付け得る。これに伴い、上述した前扉の前側から視認したときの外観が、例えば、遊技者に対し、快適な視認感覚を与え得る。
【０１６２】
ここで、右側電飾部材３００ｂ、左側電飾部材３００ａ及び皿部材３９０は、それぞれ、上述のごとく、その各発光ダイオードでもって、前枠２００ａの前方に向けて電飾演出を行う。
【０１６３】
しかも、右側電飾部材３００ｂが左側電飾部材３００ａよりも前枠２００ａの前方へ膨出していることから、右側電飾部材３００ｂにおける中側電飾部３４０の湾曲レンズ３４１、上側電飾部３５０の湾曲レンズ３５１及び下側電飾部３６０の湾曲レンズ３６１は、それぞれ、上述したごとく、左側電飾部材３００ａにおける中側電飾部３１０の湾曲レンズ３１１、上側電飾部３２０の湾曲レンズ３２１及び下側電飾部３３０の湾曲レンズ３３１よりも前方へ膨出している。
【０１６４】
これに伴い、各湾曲レンズ３４１、３５１及び３６１は、それぞれ、前枠２００ａの前面を基準として、各湾曲レンズ３１１、３２１及び３３１よりも前側にて左右両側に湾曲状に広がりを有する。このため、右側電飾部材３００ｂによる電飾演出は、左側電飾部材３００ａによる電飾演出に比べて、より一層、前側にて左右両側に広がるようになされる。これにより、遊技者の視認効果が、より一層高められ得る。
【０１６５】
また、右側電飾部材３００ｂにおいて、上側電飾部３５０のレンズ３５１が、中側電飾部３４０の長手湾曲状レンズ３４１及び下側電飾部３６０の湾曲レンズ３６１よりも前方へ膨出している。従って、皿部材３９０は、その膨出先端部位にて、上側電飾部３５０の膨出先端部位よりも前方へ膨出することとなり、当該皿部材３９０は、前扉ＦＤの前枠２００ａの前面を基準として、右側電飾部材３００ｂよりも前方へ膨出している。
【０１６６】
ここで、皿部材３９０は、左右両側皿電飾部材３９０ｂ、３９０ｃによりその各発光ダイオードでもって電飾演出を行う。当該左右両側皿電飾部材３９０ｂ、３９０ｃは、上述のごとく、皿本体３９０ａの膨出表面に沿い斜め右下方及び左斜め下方に向けて延出している。このことは、左右両側皿電飾部材３９０ｂ、３９０ｃの電飾演出は、右側電飾部材３００ｂの電飾演出に比べて、より一層前側にてなされることを意味する。
【０１６７】
以上のように、右側電飾部材３００ｂが左側電飾部材３００ａよりも前方へ膨出するとともに、皿部材３９０が右側電飾部材３００ｂよりも前方へ膨出しているから、上述したような根拠に基づき、左側電飾部材３００ａ、右側電飾部材３００ｂ及び皿部材３９０を全体として前枠２００ａの前側から視認したときの外観が、遊技者に対し、より一層快適な視認感覚を与え得る。
【０１６８】
また、上述のように、右側電飾部材３００ｂが左側電飾部材３００ａよりも前方へ膨出するとともに、皿部材３９０が右側電飾部材３００ｂよりも前方へ膨出していることを前提として、皿部材３９０の電飾演出が、左側電飾部材３００ａ及び右側電飾部材３００ｂの各電飾演出と相俟って、なされることから、遊技者に対する電飾演出の視認効果がより一層高められ得る。
【０１６９】
次に、当該パチンコ遊技機が、上述の構成のもと、直流回路ＰＳからの給電により遊技可能な作動状態になると、主制御装置４００が、副制御装置５００とともに、作動状態になる。これに伴い、主制御装置４００が、ＣＰＵ４３０により、図９のフローチャートに従い、主制御プログラムであるタイマー割り込み制御プログラムの実行を開始する。この実行開始は、ソフトタイマー４４０からのパルス信号の発生ごとになされる。
【０１７０】
また、上述のように主制御装置４００がタイマー割り込み制御プログラムの実行を開始すると、現段階では、遊技球の第１或いは第２の始動入賞口装置３０或いは４０の始動入賞口への遊技球の入賞やスルーゲート５０の遊技球の通過はないことから、タイマー割り込みプログラムは、第１始動入賞口処理ルーチン６００、第２始動入賞口処理ルーチン７００、ゲート処理ルーチン８００及び賞球処理ルーチン９００を通り特別図柄処理ルーチン１０００、普通図柄処理ルーチン１１００、大入賞口処理ルーチン１２００、電チュー処理ルーチン１３００及び出力処理ルーチン１４００に順次進む。
【０１７１】
また、上述のようにパチンコ遊技機が作動状態になると、副制御装置５００が作動状態になる。これに伴い、払い出し制御部５００ａは、上記払い出し制御プログラムの実行を開始し、システム制御部５００ｂは、上記演出制御プログラムの実行を、図１２及び図１３のフローチャートに従い開始し、画像制御部５００ｃが、上記画像表示制御プログラムの実行を開始し、さらに、ランプ制御部５００ｄが、上記ランプ制御プログラムの実行を開始する。これにより、当該パチンコ遊技機は、遊技者による遊技の開始を待つ状態におかれる。
【０１７２】
このような状態において、遊技者が、球貸し出しユニットＵから遊技球の貸し出しを受けると、貸し出し遊技球が、球貸し出しユニットＵからノズルＵ１を通り、皿部材３９０の皿３９１内にその開口部３９１ａを介して払い出されて貯留される。
【０１７３】
然る後、遊技者が、当該パチンコ遊技機の上記ハンドルを回動操作すれば、皿３９１内の遊技球が、順次、上記球送り装置を介し上記球発射装置の発射レール上に送られて発射され、案内レール２０を通り遊技領域１２内に案内される。
【０１７４】
しかして、タイマー割り込みプログラムが第１始動入賞口処理ルーチン６００（図９参照）に進むと、当該第１始動入賞口処理ルーチン６００の処理は、第1始動入賞口装置５０の第１始動入賞口への遊技球の入賞に基づく大当たりの抽選の機会を提供するためになされる。
【０１７５】
上述のように遊技領域１２内に順次案内される遊技球が第1始動入賞口装置５０の第１始動入賞口に入賞する毎に、当該各遊技球の入賞が第１始動入賞口センサＳ１により順次検出される。
【０１７６】
また、タイマー割り込みプログラムが第１始動口処理ルーチン６００に進む毎に、第１始動入賞口への入賞数（第１入賞数）が、第１始動入賞口センサＳ１による新たな検出に伴い加算更新される。然る後、当該第１入賞数が「４」に達すると、第１始動口処理ルーチン６００の処理が終了する。
【０１７７】
このような第１始動入賞口処理ルーチン６００の終了に伴い、上記タイマー割り込みプログラムは、第２始動入賞口処理ルーチン７００に進む。この第２始動入賞口処理ルーチン７００の処理は、第２始動入賞口装置４０の第２始動入賞口への遊技球の入賞に基づく大当たりの抽選の機会を形成するためになされる。
【０１７８】
上述のように遊技領域１２内に順次案内される遊技球が第２始動入賞口装置４０の第２始動入賞口に入賞すると、当該遊技球の入賞が第２始動入賞口センサＳ２により検出される。
【０１７９】
また、タイマー割り込みプログラムが第２始動口処理ルーチン７００（図９参照）に進む毎に、第２始動入賞口への入賞数（第２入賞数）が、第２始動入賞口センサＳ２による新たな検出に伴い加算更新される。然る後、当該第２入賞数が「４」に達すると、第２始動口処理ルーチン７００の処理が終了する。
【０１８０】
上述のような第２始動入賞口処理ルーチン７００の終了に伴い、タイマー割り込みプログラムは、ゲート処理ルーチン８００に進む。このゲート処理ルーチン８００の処理は、普通図柄の抽選の機会を形成するためになされる。
【０１８１】
上述のように遊技領域１２内に順次案内される遊技球がゲート５０を通過すると、当該遊技球の通過がゲートセンサＳ３により検出される。
【０１８２】
また、タイマー割り込みプログラムがゲート処理ルーチン８００に進む毎に、ゲート５０に対する遊技球の通過数（ゲート通過数）が、ゲートセンサＳ３による新たな検出に伴い加算更新される。然る後、当該ゲート通過数が「４」に達すると、ゲート処理ルーチン８００の処理が終了する。
【０１８３】
ついで、タイマー割り込みプログラムが特別図柄処理ルーチン１０００（図９及び図１０参照）に進むと、ステップ１０１０（図１０参照）において、大当たり遊技中か否かが判定される。現段階において、遊技状態が大当たり当選後の大入賞口開放遊技状態にあれば、大当たり遊技中であることから、ステップ１０１０においてＹＥＳと判定される。このため、特別図柄処理ルーチン１０００は、新たな特別図柄変動の表示を開始することなく、エンドステップに進む。
【０１８４】
一方、現段階において、ステップ１０１０の判定がＮＯとなる場合には、次のステップ１０２０において特別図柄変動中か否かが判定される。現段階において、ステップ１０８０における変動開始処理がなされていなければ、特別図柄変動中でないことから、ステップ１０２０における判定はＮＯとなり、ステップ１０３０において、Ｕａ≧１か否かが判定される。なお、Ｕａは第１入賞数を表す。
【０１８５】
ここで、第１始動入賞口処理ルーチン６００（図９参照）における最新の第１入賞数Ｕａが、Ｕａ＝０であれば、ステップ１０３０にてＮＯと判定される。一方、上述した最新の第１入賞数ＵａがＵａ＝０でなければ、ステップ１０３０においてＹＥＳと判定される。
【０１８６】
ついで、ステップ１０３１において、第１入賞数Ｕａが、次の式（１）に基づき、減算更新される。
【０１８７】
Ｕａ＝Ｕａ−１・・・・（１）
然る後、次のステップ１０４０において、Ｕb≧１か否かが判定される。ここで、Ｕｂは第２入賞数を表す。現段階において、Ｕb＝０であれば、ステップ１０４０における判定はＮＯとなる。即ち、現段階では、遊技球が、現在の特別図柄変動中において、第２始動入賞口装置４０の始動入賞口に入賞していないことから、特別図柄処理ルーチン１０００は、エンドステップに進む。
【０１８８】
また、上述のように特別図柄処理ルーチン１０００がステップ１０４０に進んだとき、最新の第２入賞数Ｕｂが、Ｕｂ≧１であれば、当該ステップ１０４０においてＹＥＳと判定される。これに伴い、次のステップ１０４１において、第２入賞数Ｕｂが、次の式（２）に基づき、減算更新される。
【０１８９】
Ｕｂ＝Ｕｂ−１・・・・（２）
上述のようにステップ１０４１の処理がなされると、特別図柄処理ルーチン１０００は、大当たり判定処理サブルーチン１０５０（図１０参照）に進む。ここでは、第１或いは第２の始動入賞口装置３０或いは４０の始動入賞口への遊技球の入賞に伴う大当たり抽選の結果が、大当たりか否かが判定される。
【０１９０】
すると、次の変動パターン選択処理サブルーチン１０６０において、大当たり用、リーチ用或いははずれ用の変動パターンが、少なくとも１つ選択されてセットされる。
【０１９１】
ついで、ステップ１０７０における変動開始処理において、主制御装置４００が、ＣＰＵ４３０により、変動パターン選択処理サブルーチン１０６０で選択済みの変動パターンでもって特別図柄変動を表示するように第１特別図柄表示器１００ａ或いは第２特別図柄表示器１００ｂを駆動する。
【０１９２】
このため、第１特別図柄表示器１００ａ或いは第２特別図柄表示器１００ｂは、当該変動パターンによる特別図柄変動の表示を行う。なお、第１始動入賞口装置３０の始動入賞口への遊技球の入賞を前提とする場合には、第１特別図柄表示器１００ａが特別図柄変動の表示を行い、第２始動入賞口装置４０の始動入賞口への遊技球の入賞を前提とする場合には、第２特別図柄表示器１００ｂが特別図柄変動の表示を行う。
【０１９３】
ステップ１０７０の処理後、ステップ１０８０における変動時間計時開始処理において、上記変動パターンの変動時間の計時が開始される。ここで、この変動時間の計時は、主制御装置４００に内蔵の他のソフトタイマーにより行われる。
【０１９４】
然る後、特別図柄処理ルーチン１０００が再びステップ１０２０に進んだとき、ＹＥＳと判定されると、次のステップ１０９０において、変動時間の終了か否かが判定される。現段階において、ステップ１０８０で変動時間計時開始された時間が未だ所定の変動時間に達していなければ、ステップ１０９０における判定はＮＯとなる。
【０１９５】
このような状態において、特別図柄処理ルーチン１０００が、その後、少なくとも一回、ステップ１０９０に進んだとき、ステップ１０８０で変動時間計時開始された時間が上記所定の変動時間に達していれば、当該ステップ１０９０において、ＹＥＳと判定される。すると、ステップ１０９０ａにおける変動停止処理において、主制御装置４００が、ＣＰＵ４３０により、上述した第１特別図柄表示器１００ａ或いは第２特別図柄表示器１００ｂによる特別図柄変動の表示を停止させる。
【０１９６】
ステップ１０９０ａの処理後、ステップ１０９０ｂにおける変動時間のリセット処理において、上記所定の変動時間がリセットされて、特別図柄処理ルーチン１０００は、停止中処理サブルーチン１０９０ｃに進む。この停止中処理サブルーチン１０９０ｃでは、当たり或いは大当たりかの判定を行い、時短、確変その他の処理がなされる。
【０１９７】
このようにして特別図柄処理ルーチン１０００が終了すると、タイマー割り込み制御プログラムは、普通図柄処理ルーチン１１００（図９及び図１１参照）に進む。すると、ステップ１１１０（図１１参照）において、普通図柄変動中か否かが判定される。現段階の遊技状態が、普通図柄変動中でなければ、ステップ１１１０におけるＮＯとの判定後、ステップ１１２０において、Ｇ≧１か否かにつき判定される。ここで、Ｇは、ゲート処理ルーチン８００（図９参照）における遊技球の最新のゲート通過数を表す。
【０１９８】
しかして、Ｇ＝０であれば、ステップ１１２０における判定はＮＯとなる。これに伴い、普通図柄の抽選開始のための入賞がないということから、普通図柄処理ルーチン１１００は、エンドステップに進む。
【０１９９】
一方、ステップ１１２０において、Ｇ≧１が成立すれば、ＹＥＳと判定された後、ステップ１１２１において、次の式（３）に基づき、ゲート通過数Ｇが「１」だけ減算更新される。
【０２００】
Ｇ＝Ｇ−１・・・・（３）
ついで、ステップ１１３０において当たりか否かにつき判定される。即ち、現段階において、遊技球のスルーゲート５０の通過に伴う普通図柄の当たり抽選結果が当たりであれば、ステップ１１３０における判定はＹＥＳとなり、次のステップ１１３１における当たり図柄セット処理において、当たり図柄がセットされる。また、ステップ１１３０における判定がＮＯとなる場合には、ステップ１１３２におけるはずれ図柄セット処理において、はずれ図柄がセットされる。
【０２０１】
ステップ１１３１或いは１１３２における処理後、ステップ１１４０において、確変遊技状態か否かにつき判定される。現段階の遊技状態が、確変遊技状態であれば、ステップ１１４０においてＹＥＳと判定された後、ステップ１１４１において、変動時間が３（秒）にセットされる。一方、ステップ１１４０における判定がＮＯとなるときには、現段階の遊技状態が通常遊技状態或いは潜伏確変遊技状態であることから、ステップ１１４２において、変動時間が２９（秒）とセットされる。
【０２０２】
このようにして、ステップ１１４１或いはステップ１１４２の処理がなされた後は、ステップ１１５０における変動開始処理において、普通図柄表示器９０により、ステップ１１３１にてセット済みの当たり図柄或いはステップ１１３２にてセット済みのはずれ図柄の変動の表示が開始される。これに伴い、ステップ１１６０における変動時間計時開始処理において、主制御装置４００に内蔵の他のソフトタイマーがリセットされて計時を開始する。
【０２０３】
然る後、普通図柄処理ルーチン１１００が再びステップ１１１０に進むと、ステップ１１５０において既に変動開始済みであることから、当該ステップ１１１０においてＹＥＳと判定される。すると、ステップ１１７０において変動時間終了か否かが判定される。ここで、ステップ１１６０において計時開始済みの上記ソフトタイマーの計時時間が、上記変動時間（ステップ１１４１或いはステップ１１４２におけるセット時間）に達していなければ、ステップ１１７０における判定はＮＯとなる。
【０２０４】
このような状態において、普通図柄処理ルーチン１１００が、その後、少なくとも１回以上、ステップ１１７０に進んだとき、ステップ１１６０において計時開始済みの上記ソフトタイマーの計時時間が上記所定の変動時間に達していれば、ステップ１１７０においてＹＥＳと判定される。これに伴い、ステップ１１７１における変動停止処理において、ステップ１１５０において開始した当たり図柄変動或いははずれ図柄の変動の表示が普通図柄表示器９０において停止される。なお、ステップ１１７２において、上記変動時間（ステップ１１４１或いはステップ１１４２におけるセット時間）のリセットがなされる。
【０２０５】
以上のようにして普通図柄処理ルーチン１１００の処理が終了すると、タイマー割り込みプログラムは、大入賞口ルーチン１２００（図９参照）に進む。当該大入賞口処理ルーチン１２００においては、１５ラウンドの１回目のラウンドから１５回目のラウンドにかけて、大入賞口開放処理が繰り返しなされる。これに伴い、大入賞口装置７０が、その大入賞口を、大当たり開放パターンに基づき繰り返し開放する。これにより、上述のように遊技領域１２内に順次案内される遊技球が、大入賞口装置７０の大入賞口に繰り返し入賞し易くなり、その結果、遊技者は、多くの賞球の獲得を期待できる。
【０２０６】
以上のようにして大入賞口処理ルーチン１２００の処理が終了すると、タイマー割り込みプログラムは、次の電チュー処理ルーチン１３００（図９参照）に進む。当該電チュー処理ルーチン１３００においては、現段階の遊技状態が確変遊技状態であれば、第２始動入賞口装置４０の始動入賞口の開放時間が３．５（秒）にセットされ、一方、現段階の遊技状態が、確変遊技状態ではなく、通常遊技状態或いは潜伏確変遊技状態であれば、第２始動入賞口装置４０の始動入賞口の開放時間が０．２（秒）にセットされる。
【０２０７】
これに伴い、第２始動入賞口装置４０が、主制御装置４００のＣＰＵ４３０による制御のもとに、３．５（秒）或いは０．２（秒）の間、電チューアクチュエータ４１により駆動される。このため、第２始動入賞口装置４０が、その始動入賞口を開放する。これにより、遊技者は、第２始動入賞口装置４０の始動入賞口への遊技球の入賞の増加を期待し得る。
【０２０８】
上述のように電チュー処理ルーチン１３００の処理が終了すると、タイマー割り込みプログラムは、出力処理ルーチン１４００（図９参照）に進む。この出力処理ルーチン１４００においては、第１始動入賞口ルーチン６００〜電チュー処理ルーチン１３００の各処理においてなされた第１及び第２の始動入賞口センサＳ１、Ｓ２の各検出出力、普通入賞口センサＳ４の検出出力その他の種々の処理データが、出力データとして副制御装置５００の払い出し制御部５００ａ及びシステム制御部５００ｂに対し出力される。
【０２０９】
以上のような主制御装置４００による演出処理にあわせて、副制御装置５００においては、払い出し制御部５００ａが払い出し演出処理を行うとともに、システム制御部５００ｂが、画像制御部５００ｃ及びランプ制御部５００ｄと共に、システム演出処理を行う。
【０２１０】
上述のように副制御装置５００の払い出し制御部５００ａが上記払い出し制御プログラムの実行を開始した後において、各種出力データが上述のごとく主制御装置４００から副制御装置５００に出力されると、当該各種出力データが払い出しデータ（大入賞口センサＳ５の検出出力等）を含んでおれば、払い出し制御部５００ａが、当該払い出しデータを入力されて遊技球の払い出し処理を行い、払い出し出力をモータ駆動回路１３１に出力する。
【０２１１】
これに伴い、球払い出しユニット１３０が、モータ駆動回路１３１による上記払い出しモータの駆動のもとに、所定の払い出し条件に応じて、遊技球を払い出す。具体的には、タンク１１０に貯留されている遊技球が、タンクレールユニット１２０を通り球払い出しユニット１３０に供給されると、当該球払い出しユニット１３０は、タンクレールユニット１２０からの遊技球を、払い出し本体１３０ａにより、所定の払い出し条件に応じて、上記払い出しモータの駆動のもとに、払い出し通路１３０ｂを介し、皿部材３９０の皿３９１内に払い出す。
【０２１２】
上述のような主制御装置４００による演出処理にあわせて、副制御装置５００のシステム制御部５００ｂが、図１２及び図１３のフローチャートに従い演出制御プログラムの実行を開始すると、ステップ２０００（図１２参照）において、出力データの有無が判定される。
【０２１３】
現段階において、当該出力データがシステム制御部５００ｂに出力されていれば、ステップ２０００においてＹＥＳと判定される。なお、出力データのシステム制御部５００ｂへの出力がなければ、ステップ２０００においてＮＯと判定され、演出制御プログラムはエンドステップ（図１２参照）に進む。
【０２１４】
上述のようにステップ２０００においてＹＥＳと判定されると、次のステップ２１００において、特別図柄変動の開始か否かが判定される。ここで、図１０のステップ１０７０において特別図柄の変動開始処理がなされていれば、特別図柄変動が開始されていることから、ステップ２１００において、ＹＥＳと判定される。
【０２１５】
このような特別図柄変動の開始に対応して、ステップ２１１０において装飾図柄変動処理がなされる。当該装飾図柄変動処理においては、装飾図柄変動が開始される。当該装飾図柄の変動開始がなされると、演出表示装置８０は、システム制御部５００ｂによる制御のもと、画像制御部５００ｃにより、表示駆動回路８０ｂにて駆動制御されて、左図柄、中図柄及び右図柄の変動を時間の経過に伴い表示する。
【０２１６】
例えば、演出表示装置８０による変動表示中において、上記変動開始後、左図柄（例えば、「２」）が停止した後、右図柄（例えば、「２」）が停止すると、この右図柄の停止段階では、リーチが成立する。これに伴い、演出表示装置８０は、リーチを表す演出態様で演出表示を行う。これにより、遊技者は、大当たりの可能性を認識し得る。
【０２１７】
然る後、中図柄が停止すると、この中図柄が、例えば、「２」であれば、左図側、中図柄及び右図柄が、共に、数字「２」であることから、当該特別図柄変動の原因である大当たり抽選の結果は、大当たりである。
【０２１８】
また、停止した中図柄が、例えば、「３」であれば、左図柄及び右図柄とは異なることから、当該特別図柄変動の原因である大当たり抽選の結果は、外れである。
【０２１９】
然る後、特別図柄変動が終了すると、ステップ２１２０においてＹＥＳと判定される。これに伴い、ステップ２１２１における装飾図柄変動終了処理において、装飾図柄変動が終了する。
【０２２０】
ついで、ステップ２１３０（図１２参照）において、大当たりか否かが判定される。ここで、上述のごとく中図柄の停止のもとに大当たりが成立していれば、ステップ２１３０においてＹＥＳと判定される。すると、ステップ２１３０ａにおける大当たり設定処理において、大当たりと設定される。
【０２２１】
これに伴い、ステップ２１３１において大当たり遊技表示演出処理がなされる。ここでは、演出表示装置８０が、システム制御部５００ｂによる制御のもと、画像制御部５００ｃにより、表示駆動回路８０ｂにて駆動制御されて、大当たりを表す表示演出態様（例えば、レインボウ演出態様）にて演出表示する。
【０２２２】
ついで、次のステップ２１３２において、大当たり電飾演出処理がなされる。この大当たり電飾演出処理では、左側電飾部材３００ａ及び右側電飾部材３００ｂが、システム制御部５００ｂからの大当たり電飾演出指令のもと、ランプ制御部５００ｄにより制御されて、大当たりを表す電飾演出態様（例えば、レインボウ電飾態様）にて電飾演出を行う。
【０２２３】
具体的には、左側電飾部材３００ａの下側電飾部３３０の各発光ダイオード３３２〜３３５、中側電飾部３１０の各発光ダイオード３１２〜３１４及び上側電飾部３２０の各発光ダイオード３２２〜３２４が、その順序で、順次発光し、一方、右側電飾部材３００ｂの下側電飾部３６０の各発光ダイオード３６２〜３６５、中側電飾部３４０の各発光ダイオード３４２〜３４４及び上側電飾部３５０の各発光ダイオード３５２〜３５４が、その順序で、順次発光する。
【０２２４】
換言すれば、左側枠発光ダイオード群Ｌ１が、各発光ダイオード３３２〜３３５、３１２〜３１４及び３２２〜３２４でもって、その順序で順次発光し、一方、右側枠発光ダイオード群Ｌ２が、各発光ダイオード３６２〜３６５、３４２〜３４４及び３５２〜３５４でもって、その順序で順次発光する。
【０２２５】
本第１実施形態では、左側枠発光ダイオード群Ｌ１の各発光ダイオード３３２〜３３５、３１２〜３１４及び３２２〜３２４が、発光ダイオード３３２から発光ダイオード３２４にかけて順次発光し、この順次発光に同期して、右側枠発光ダイオード群Ｌ２の各発光ダイオード３６２〜３６５、３４２〜３４４及び３５２〜３５４が、発光ダイオード３６２から発光ダイオード３５４にかけて発光する。
【０２２６】
ここで、左側枠発光ダイオード群Ｌ１の各発光ダイオードは、点滅や輝度変化等の種々の光変化（レインボウ電飾態様等の大当たり電飾態様を表す電飾変化）を伴いながら発光し、右側枠発光ダイオード群Ｌ２の各発光ダイオードは、対応の左側枠発光ダイオード群Ｌ１の各発光ダイオードの光変化と同様の光変化（レインボウ電飾態様等の大当たり電飾態様を表す電飾変化）を伴いながら発光する。
【０２２７】
また、上述のような左側電飾部材３００ａの下側電飾部３３０の各電飾演出にあわせて、左側皿電飾部材３９０ｂ及び右側皿電飾部材３９０ｃが、システム制御部５００ｂからの大当たり電飾演出指令のもと、ランプ制御部５００ｄにより制御されて、大当たりを表す電飾演出態様（例えば、レインボウ電飾態様）にて電飾演出を行う。
【０２２８】
具体的には、左側皿電飾部材３９０ｂが、左側皿発光ダイオード群Ｌ４の各発光ダイオード３９３にて、点滅、フルカラー変化や輝度変化等の種々の光変化（レインボウ電飾態様等の大当たり電飾態様を表す電飾変化）を伴いながら発光し、一方、右側皿電飾部材３９０ｃが、右側皿発光ダイオード群Ｌ５の各発光ダイオード３９５にて、点滅、フルカラー変化や輝度変化等の種々の光変化（レインボウ電飾態様等の大当たり電飾態様を表す電飾変化）を伴いながら発光する。
【０２２９】
以上によれば、左側電飾部材３００ａ及び右側電飾部材３００ｂが、共に、大当たり電飾態様でもって、前枠２００ａの左側枠部及び右側枠部に沿い、下方から上方にかけて光による電飾演出を行う。ここで、左側皿電飾部材３９０ｂ及び右側皿電飾部材３９０ｃが、左側電飾部材３００ａ及び右側電飾部材３００ｂの大当り電飾演出と相まって大当たり電飾演出を行う。
【０２３０】
これにより、遊技者は、左側電飾部材３００ａ及び右側電飾部材３００ｂの電飾演出でもって、大当たりによる遊技球の多数の獲得を期待しながら、興趣を高めつつ遊技を継続し得る。また、左側皿電飾部材３９０ｂ及び右側皿電飾部材３９０ｃが、左側電飾部材３００ａ及び右側電飾部材３００ｂの電飾演出と相まって、大当たり電飾演出を行うことで、遊技者はより一層興趣を高めつつ遊技を継続することができる。
【０２３１】
上述のように大当り電飾演出処理２１３２の処理が終了すると、次のステップ２１３３において、大当り音電飾演出処理がなされる。ここでは、上側演出部材３００ｃにおいて、上側電飾部３７０が、システム制御部５００ｂからの大当たり電飾演出指令のもと、ランプ制御部５００ｄにより制御されて、上側枠発光ダイオード群Ｌ３の各発光ダイオード３７２、３７３にて、発光し、光変化による大当たり電飾演出を行い、両音演出部３８０が、システム制御部５００ｂからの大当たり音演出指令のもと、画像制御部５００ｃにより制御されて、両スピーカＳＰにて、音による大当たり演出を行う。
【０２３２】
これにより、上側電飾部３７０が上側電飾部３７０及び両音演出部３８０でもって、電飾及び音演出でもって、上述した左側電飾部材３００ａ及び右側電飾部材３００ｂの電飾演出及び左側皿電飾部材３９０ｂ及び右側皿電飾部材３９０ｃの電飾演出をさらに多様化し、上述した興趣をさらに向上させ得る。
【０２３３】
一方、上述のように停止中図柄が、停止左図柄や停止右図柄と異なるために外れが成立していれば、上述したステップ２１３０において、ＮＯと判定される。これに伴い、次のステップ２１４０（図１３参照）における外れ設定処理において、外れの成立と設定される。
【０２３４】
すると、ステップ２１４１における外れ遊技表示演出処理において、演出表示装置８０が、システム制御部５００ｂによる制御のもと、ランプ制御部５００ｄにより制御されて、外れを表す表示演出態様にて演出表示を行う。これにより、遊技者は、上記大当たり抽選の結果が外れであることを認識することとなる。
【０２３５】
ステップ２１４１における外れ遊技表示演出処理が終了すると、次のステップ２１５０において客待ちコマンドありか否かが判定される。ここで、客待ちコマンドが、主制御装置４００からシステム制御部５００ｂに出力されていなければ、当該ステップ２１５０においてＮＯと判定される。
【０２３６】
一方、客待ちコマンドが、主制御装置４００からシステム制御部５００ｂに出力されていれば、当該ステップ２１５０における判定はＹＥＳとなる。すると、次のステップ２１６０において所定の客待ち時間の経過か否かが判定される。ここで、当該所定の客待ち時間は、ステップ２１４１における外れ遊技表示演出処理の終了後の所定の時間をいう。
【０２３７】
現段階では、上記所定の客待ち時間は未だ経過していないことから、当該ステップ２１６０における判定はＮＯとなる。
【０２３８】
両ステップ２１５０、２１６０の循環処理中において、上述の客待ちコマンドの主制御装置４００からシステム制御部５００ｂへの出力のもと、上記所定の客待ち時間が経過すれば、ステップ２１６０においてＹＥＳと判定される。
【０２３９】
このようにステップ２１６０においてＹＥＳと判定されると、客待ちコマンドに基づき、ステップ２１６１において、客待ちモード表示演出処理がなされる。これに伴い、演出表示装置８０が、システム制御部５００ｂによる制御のもと、画像制御部５００ｃにより、表示駆動回路８０ｂにて駆動制御されて、大当たり表示演出態様に類似する表示演出態様でもって、表示演出する。これにより、当該パチンコ遊技機における直前までの遊技において、遊技球を多く獲得した状態にあったかのような印象が、演出表示装置８０によって、新たな客に対し与えられる。
【０２４０】
ついで、ステップ２１７０において、客待ちモード表示演出終了か否かが判定される。現段階において、客待ちモード表示演出が終了していなければ、ステップ２１７０における判定はＮＯとなる。
【０２４１】
以後、両ステップ２１６１、２１７０を循環する処理中において、客待ちモード表示演出が終了すると、ステップ２１７０においてＹＥＳと判定される。このことは、当該パチンコ遊技機における客待ちが終了したことを意味する。
【０２４２】
上述のようにステップ２１７０における判定がＹＥＳになると、次のステップ２１８０において、遊技開始か否かにつき判定される。現段階において、当該パチンコ遊技機において新たな客が上記ハンドルの回動操作をすると、上記球発射装置が、遊技球を、案内レール２０を介し遊技盤Ｂｂの遊技領域１２に向けて発射する。
【０２４３】
当該遊技球の発射が、上記球発射装置に設けた発射センサ（図示しない）により検出されると、当該検出結果が、遊技開始を表す遊技開始信号としての役割を果たし、ステップ２１８０においてＹＥＳと判定される。
【０２４４】
一方、上述のような発射センサによる検出がない場合には、所定の客待ち時間の経過後客待ちモード表示演出終了にもかかわらず、新たな客がなく遊技開始にならないことから、ステップ２１８０において、ＮＯと判定される。
【０２４５】
これに伴い、次のステップ２１８１において、客待ちモード電飾演出処理がなされる。この客待ちモード電飾演出処理においては、左側電飾部材３００ａ、右側電飾部材３００ｂ、左側皿電飾部材３９０ｂ及び右側皿電飾部材３９０ｃの各発光ダイオードが、システム制御部５００ｂによる制御のもと、ランプ制御部５００ｄにより制御されて、上述した大当たり電飾演出に類似した客寄せ電飾演出態様でもって、電飾演出を行う。
【０２４６】
これにより、新たな客が当該パチンコ遊技機の前扉ＦＤを見たとき、当該新たな客は、左側電飾部材３００ａ、右側電飾部材３００ｂ、左側皿電飾部材３９０ｂ及び右側皿電飾部材３９０ｃが上述した客寄せ電飾演出態様でもって電飾演出を行っていることを視認することとなる。
【０２４７】
その結果、当該新たな客が、上述した左側電飾部材３００ａ、右側電飾部材３００ｂ、左側皿電飾部材３９０ｂ及び右側皿電飾部材３９０ｃによる大当たり電飾演出に類似した客寄せ電飾演出態様でもって電飾演出に基づき、当該パチンコ遊技機が既に大当たりの成立により多くの遊技球を獲得されているかのように錯覚を起こすことで、当該新たな客を当該パチンコ遊技機による遊技に誘導することができる。
【０２４８】
以上説明したように、本第１実施形態では、上述したごとく、右側電飾部材３００ｂが左側電飾部材３００ａよりも前方へ膨出するとともに、皿部材３９０が右側電飾部材３００ｂよりも前方へ膨出している。
【０２４９】
ここで、上述したようにノズルＵａを球貸し出し装置Ｕの本体のケーシングから前扉ＦＤの前側左部位を通り皿部材３９０の皿３９１の開口部３９１ａに向けて延出するために、前扉ＦＤの左側部位は、左側電飾部材３００ａと共に、当該パチンコ遊技機の後側へ引っ込むように構成されていること、及び前扉ＦＤの外周部（前扉ＦＤの中央の周り）が構成上何の特徴も有さなければ、遊技者は、前扉ＦＤの外周部にはなかなか眼を向けることがないことから、上述のように、前扉ＦＤにおいて、右側電飾部材３００ｂが左側電飾部材３００ａよりも前方へ膨出するとともに、皿部材３９０が右側電飾部材３００ｂよりも前方へ膨出するように構成した。
【０２５０】
これにより、前扉ＦＤにおいて、皿部材３９０、右側電飾部材３００ｂ及び左側電飾部材３００ａの前側への各膨出度合が相互に異なり不均一となることから、遊技者は、当該パチンコ遊技機の中央の周囲（前扉ＦＤの中央の周り）にある左側電飾部材３００ａ、右側電飾部材３００ｂや皿部材３９０に対しても意識的に眼を向けるようになる。
【０２５１】
その結果、遊技者が左側電飾部材３００ａ、右側電飾部材３００ｂ及び皿部材３９０を全体として前扉ＦＤの前側から視認したとき、当該前扉ＦＤの外観（当該パチンコ遊技機の外観）が、高い訴求力でもって強く遊技者の関心を引付け得る。これに伴い、上述した前扉の前側から視認したときの外観が、例えば、遊技者に対し、快適な視認感覚を与え得る。
【０２５２】
また、上述のように、右側電飾部材３００ｂが左側電飾部材３００ａよりも前方へ膨出していることから、右側電飾部材３００ｂは、左側電飾部材３００ａの各発光ダイオードからの光による電飾演出よりも広範囲に亘り前方を各発光ダイオードからの光でもって照らすように、電飾演出を行うこととなる。また、皿部材３９０が右側電飾部材３００ｂよりも前方へ膨出していることから、遊技者が皿部材３９０に触れ易く、遊技に必要な操作を行い易くて便利であるのは勿論のこと、皿部材３９０が遊技者に対し電飾演出による光の影響力を及ぼし易い。
【０２５３】
従って、このような影響力のある皿部材３９０が、左側電飾部材３００ａ及び右側電飾部材３００ｂの各電飾演出と相俟って、前方を光でもって照らすように電飾演出することとなり、その結果、前扉ＦＤの電飾演出に対する遊技者の視認効果がより一層高められ得る。
【０２５４】
また、演出表示装置８０が、システム制御部５００ｂ及び画像制御部５００ｃによる制御のもと、ステップ２１３１における大当たり遊技表示演出処理、ステップ２１４１における外れ遊技表示演出処理或いはステップ２１６１における客待ちモード表示演出処理に基づき、大当たり表示演出、外れ表示演出或いは大当たり表示演出に類似した客待ちモード表示演出を演出表示する。
【０２５５】
ここで、左側電飾部材３００ａ、右側電飾部材３００ｂ及び皿電飾手段３９０ｂ、３９０ｃが、システム制御部５００ｂ及びランプ制御部５００ｄによる制御のもと、ステップ２１８１における客待ちモード電飾演出処理に基づき、大当たり電飾演出に類似した客待ちモード電飾演出を行う。
【０２５６】
このように、演出表示装置８０による客待ちモード表示演出がなされた後、左側電飾部材３００ａ、右側電飾部材３００ｂ及び皿電飾手段３９０ｂ、３９０ｃによる客待ちモード電飾演出がなされる。
【０２５７】
これにより、新たな客が当該パチンコ遊技機の前扉ＦＤを見たとき、当該新たな客は、演出表示装置８０が上述した客寄せ演出表示を行った後、左側電飾部材３００ａ、右側電飾部材３００ｂ、左側皿電飾部材３９０ｂ及び右側皿電飾部材３９０ｃが上述した客待ちモード電飾演出を行っていることを視認することとなる。その結果、新たな客が、当該パチンコ遊技機が既に大当たりの成立により多くの遊技球を獲得されているかのように錯覚を起こすこととなり、当該新たな客を当該パチンコ遊技機による遊技に誘導することが可能となる。
【０２５８】
なお、上記第１実施形態においては、上述した演出制御プログラムのステップ２１３２における大当たり電飾演出処理及びステップ２１３３における大当たり音電飾演出処理に代えて、左側電飾部材３００ａの下側電飾部３３０の各発光ダイオード３３４、３３５、中側電飾部３１０の各発光ダイオード３１２〜３１１、上側電飾部３２０の各発光ダイオード３２２〜３２４、上側電飾部３２０の各発光ダイオード３７２、３７２が、その順序（或いはその逆の順序）にて発光し、一方、左側皿電飾部材３９０ｂの各発光ダイオード３９３〜３９３、右側皿電飾部材３９０ｃの各発光ダイオード３９５〜３９５、右側電飾部材３６０の下側電飾部３６０の各発光ダイオード３６４、３６１、中側電飾部３４０の各発光ダイオード３４２〜３４４及び上側電飾部３５０の各発光ダイオード３５２〜３５４が、その順序（或いはその逆の順序）で発光するようにしてもよい。
【０２５９】
換言すれば、前枠２００ａの左側枠部から上側枠部に亘り、前枠２００ａの左側枠部のうち透明板２００ｂの左下隅角部に対する対応部位を起点（或いは終点）として、当該対応部位に位置する発光ダイオード３３４から上側電飾部３２０の左側発光ダイオード３７２にかけて、その順序（或いは逆の順序）にて上述の光変化を伴いながら発光し、一方、皿部材３９０から前枠２００ａの右側枠部に亘り、皿部材３９０の左上側隅角部（透明板２００ｂの左下隅角部に対応）を起点（或いは終点）として、当該左上側隅角部に位置する発光ダイオード３９３（左側皿電飾部材３９０ｂの最も左側に位置する発光ダイオード３９３）から上側電飾部３５０の発光ダイオード３５４にかけて、その順序（或いは逆の順序）にて上述の光変化を伴いながら発光するようにしてもよい。
【０２６０】
このような各発光ダイオードの発光により、前枠２００ａのうち透明板２００ｂの左下隅角部に対する対応部位を起点（或いは終点）とし、前枠２００ａのうち透明板２００ｂの右上隅角部に対する対応部位を終点（或いは起点）として、前枠２００ａの左側枠部及び上側枠部に亘る順序（或いはその逆の順序）及び前枠２００ａの右側枠部に亘る順序（或いはその逆の順序）にて、上記第１実施形態にて述べた大当たり電飾演出とは異なる大当り電飾演出を行うことによっても、遊技者はより一層興趣を高めつつ遊技を継続することができる。
【０２６１】
ここで、このような上記第１実施形態にて述べた大当たり電飾演出とは異なる大当り電飾演出に類似した客待ちモード電飾演出を、ステップ２１８１における客待ちモード電飾演出処理において、前枠２００ａのうち透明板２００ｂの左下隅角部に対する対応部位を起点（或いは終点）とし、前枠２００ａのうち透明板２００ｂの右上隅角部に対する対応部位を終点（或いは起点）として、前枠２００ａの左側枠部及び上側枠部に亘る順序（或いはその逆の順序）及び前枠２００ａの右側枠部に亘る順序（或いはその逆の順序）にて、行うようにしてもよい。
【０２６２】
また、上記第１実施形態においては、上述した演出制御プログラムのステップ２１３２における大当たり電飾演出処理及びステップ２１３３における大当たり音電飾演出処理に代えて、前枠２００ａの左側枠部、上側枠部、右側枠部及び皿部材３９０に亘り、前枠２００ａの左側枠部のうち透明板２００ｂの左下隅角部に対する対応部位を起点（或いは終点）として、当該対応部位に位置する下側電飾部３３０の発光ダイオード３３４から中側電飾部３１０の各発光ダイオード、上側電飾部３２０の各発光ダイオード、右側電飾部材３００ｂの上側電飾部３５０の各発光ダイオード、中側電飾部３４０の各発光ダイオード、下側電飾部３６０の各発光ダイオード３６５、３６４、皿部材３９０の右側皿電飾部３９０ｃの各発光ダイオード及び左側皿電飾部３９０ｂの最も左側に位置する発光ダイオード３９３にかけて、その順序（或いは逆の順序）にて上述の光変化を伴いながら発光するようにしてもよい。
【０２６３】
このような各発光ダイオードの発光により、前枠２００ａの左側枠部のうち透明板２００ｂの左下隅角部に対する対応部位を起点（或いは終点）として、前枠２００ａの左側枠部、上側枠部、右側枠部及び皿部材３９０の順序（或いはその逆の順序）にて、上記第１実施形態にて述べた大当たり電飾演出とは異なる大当り電飾演出を行うことによっても、遊技者はより一層興趣を高めつつ遊技を継続することができる。
【０２６４】
ここで、このような上記第１実施形態にて述べた大当たり電飾演出とは異なる大当り電飾演出に類似した客待ちモード電飾演出を、ステップ２１８１における客待ちモード電飾演出処理において、前枠２００ａの左側枠部のうち透明板２００ｂの左下隅角部に対する対応部位を起点（或いは終点）として、前枠２００ａの左側枠部、上側枠部、右側枠部及び皿部材３９０の順序（或いはその逆の順序）にて、行うようにしてもよい。
【０２６５】
また、上記第１実施形態において、上述のようにステップ２１６１における客待ちモード表示演出処理が終了するに伴い、ステップ２１８１における客待ちモード電飾演出処理を行うようにしてもよい。
【０２６６】
これによれば、両ステップ２１７０、２１８０の処理を待つことなく、左側電飾部材３００ａ、右側電飾部材３００ｂ、左側皿電飾部材３９０ｂ及び右側皿電飾部材３９０ｃによる大当たり電飾演出態様に類似した客待ちモード電飾演出態様の電飾演出が行われることとなる。
【０２６７】
その結果、演出表示装置８０による大当たり演出に類似した客待ちモード演出表示並びに左側電飾部材３００ａ、右側電飾部材３００ｂ、左側皿電飾部材３９０ｂ及び右側皿電飾部材３９０ｃによる大当たり電飾演出に類似した客待ちモード電飾演出でもって、当該パチンコ遊技機が既に大当たりの成立により多くの遊技球を獲得されているかのように錯覚をより一層効果的に起こすこととなり、当該新たな客を当該パチンコ遊技機による遊技により一層効果的に誘導することができる。
【０２６８】
なお、上記第１実施形態においては、上側電飾部３２０及び下側電飾部３３０は、中側電飾部３１０に対しその上下両側に直接隣接して設けられているが、上側電飾部３２０及び下側電飾部３３０は、それぞれ、中側電飾部３１０に対し、その上下両側に、例えば、各メッキ部（図示しない）を介し、隣接して設けられていてもよい。
【０２６９】
また、上側電飾部３５０及び下側電飾部３６０は、中側電飾部３３０に対しその上下両側に直接隣接して設けられているが、上側電飾部３５０及び下側電飾部３６０は、それぞれ、中側電飾部３３０に対し、その上下両側に、例えば、各メッキ部（図示しない）を介し、隣接して設けられていてもよい。
【０２７０】
要するに、上述の「隣接」は、上述のようにメッキ部を介在してなる構成をも含む概念をいう。この概念は後述の各実施形態においても実質的に同様である。
【０２７１】
また、上記第１実施形態においては、左側電飾部材３００ａ、右側電飾部材３００ｂ及び左右両側皿電飾部材３９０ｂ、３９０ｃは、ステップ２１３２或いは２１８１において、共に、電飾演出を行うようになっているが、これに代えて、左側電飾部材３００ａ、右側電飾部材３００ｂ及び左右両側皿電飾部材３９０ｂ、３９０ｃのうちの少なくとも１つが、電飾演出を行うようにしてもよい。
【０２７２】
また、上記第１実施形態では、前枠２００ａは、その左側縁部にて、機枠Ｆの左側縁部に前後方向に開閉可能に支持されているが、これに代えて、当該前枠２００ａは、その左側縁部にて、本体枠Ｂａの左側縁部に前後方向に開閉可能に支持されていてもよい。
（第２実施形態）
図１４〜図１７は、本発明の第２実施形態の要部を示している。当該第２実施形態においては、上記第１実施形態にて述べた上記球発射装置は、上記ハンドルとして、ハンドルＨを備えており、このハンドルＨは、前枠２００ａの下側枠部の右側部位から前方へ延出するように形成されている（図１４参照）。
【０２７３】
本第２実施形態において、ハンドルＨは、その延出先端部にて、前扉ＦＤの右側から見て、上記第１実施形態にて述べた左側電飾部材３００ａの膨出先端部位と右側電飾部材３００ｂの膨出先端部位との間に位置する（図１４及び図１６参照）。
【０２７４】
即ち、ハンドルＨが前枠２００ａの下側枠部の前面から延出する延出長さは、左側電飾部材３００ａの上側電飾部３２０のレンズ３２１が前枠２００ａの左側枠部の前面から膨出する長さよりも長く、かつ、右側電飾部材３００ｂの上側電飾部３５０のレンズ３５１が前枠２００ａの下側枠部の前面から膨出する膨出長さよりも短くなるように設定されている。
【０２７５】
ここで、ハンドルＨは、皿部材３９０の皿３９１の開口部３９１ａよりも前方へ延出している。その他の構成は上記第１実施形態と同様である。
【０２７６】
このように構成した本第２実施形態においては、ハンドルＨが、上述したごとく、その延出先端部にて、左側電飾部材３００ａの膨出先端部と右側電飾部材３００ｂの膨出先端部との間に位置する。
【０２７７】
これに伴い、上記第１実施形態にて述べた左側電飾部材３００ａ、本第２実施形態におけるハンドルＨ、上記第１実施形態にて述べた右側電飾部材３００ｂ及び皿部材３９０の順序で、より長く、上記第１実施形態にて述べた前枠２００ａの前方へ延出或いは膨出することとなる。
【０２７８】
ここで、上記第１実施形態にて述べたように前扉ＦＤの左側部位は、左側電飾部材３００ａと共に、当該パチンコ遊技機の後側へ引っ込むように構成されているのは勿論のこと、前扉ＦＤの外周部が構成上何の特徴も有さなければ、遊技者は、前扉ＦＤの外周部（前扉ＦＤの中央の周り）にはなかなか眼を向けることがないことから、前扉ＦＤにおいて、上述のごとく、ハンドルＨが左側電飾部材３００ａの膨出先端部よりも前方へ延出し、右側電飾部材３００ｂがハンドルＨの延出先端部よりも前方（前側）へ膨出し、かつ、皿部材３９０が右側電飾部材３００ｂの膨出先端部よりも前方（前側）へ膨出するように構成した。
【０２７９】
これにより、前扉ＦＤにおいて、皿部材３９０、右側電飾部材３００ｂ、ハンドルＨ及び左側電飾部材３００ａの前側への各膨出度合が相互に異なり不均一となることから、遊技者は、当該パチンコ遊技機の中央の周囲にある左側電飾部材３００ａ、ハンドルＨ、右側電飾部材３００ｂや皿部材３９０に対してもより一層意識的に眼を向けるようになる。
【０２８０】
その結果、遊技者が左側電飾部材３００ａ、ハンドルＨ、右側電飾部材３００ｂ及び皿部材３９０を全体として前扉ＦＤの前側から視認したとき、当該前扉ＦＤの外観（当該パチンコ遊技機の外観）が、より一層高い訴求力でもって強く遊技者の関心を引付け得る。これに伴い、上述した前扉の前側から視認したときの外観が、例えば、遊技者に対し、より一層、快適な視認感覚を与え得る。
【０２８１】
また、本第２実施形態では、上述したごとく、上記第１実施形態にて述べた左側電飾部材３００ａ、ハンドルＨ、上記第１実施形態にて述べた右側電飾部材３００ｂ及び皿部材３９０の順序で、より長く、上記第１実施形態にて述べた前枠２００ａの前方へ延出或いは膨出していることを前提として、皿部材３９０の電飾演出が、左側電飾部材３００ａ及び右側電飾部材３００ｂの各電飾演出と相俟って、なされることから、上記第１実施形態の場合よりもより一層遊技者に対する電飾演出の視認効果が高められ得る。
【０２８２】
ここで、左側電飾部材３００ａが、中側電飾部３１０、上側電飾部３２０及び下側電飾部３３０に分かれているとともに、右側電飾部材３００ｂが、中側電飾部３４０、上側電飾部３５０及び下側電飾部３６０に分かれている。従って、左側電飾部材３００ａ及び右側電飾部材３００ｂは、それぞれ、色々な電飾演出態様を実現し易い。
【０２８３】
また、本第２実施形態においては、ハンドルＨは、上述のごとく、皿部材３９０の皿３９１の開口部３９１ａよりも前方へ延出している。これは、遊技者による皿３９１の開口部３９１ａに対する左手の伸ばし方及びハンドルＨに対する右手の伸ばし方が、脳における混同を起こすことなく人間工学的に行われ易いようにするためである。これにより、遊技者は、疲れを招くことなく容易に、左手で皿３９１の開口部３９１ａ内の遊技球いじりながら右手でハンドルＨを操作し得る。
【０２８４】
また、本第２実施形態においても、上記第１実施形態と同様に、演出表示装置８０による客待ちモード表示演出がなされた後、左側電飾部材３００ａ、右側電飾部材３００ｂ及び皿電飾手段３９０ｂ、３９０ｃによる客待ちモード電飾演出が行われるようにしたので、新たな客が当該パチンコ遊技機の前扉ＦＤを見たとき、当該新たな客は、演出表示装置８０が上述した大当たり演出に類似した客待ちモード演出を行った後、左側電飾部材３００ａ、右側電飾部材３００ｂ、左側皿電飾部材３９０ｂ及び右側皿電飾部材３９０ｃが上述した大当り電飾演出に類似した客待ち電飾演出を行っていることを視認することとなる。
【０２８５】
その結果、新たな客が、左側電飾部材３００ａ、右側電飾部材３００ｂ、左側皿電飾部材３９０ｂ及び右側皿電飾部材３９０ｃによる上述した大当り電飾演出に類似した客待ち電飾演出に基づき、当該パチンコ遊技機が既に大当たりの成立により多くの遊技球を獲得されているかのように錯覚をより一層強く起こすこととなり、当該新たな客を当該パチンコ遊技機による遊技により一層強く誘導することが可能となる。その他の作動、演出処理及び作用効果は上記第１実施形態と同様である。
【０２８６】
なお、上記第２実施形態において、ハンドルＨは、複数の発光ダイオードを有する電飾部材を内蔵するようにしてもよい。ここで、当該ハンドルＨは、その透光カバーを通して、内蔵の各発光ダイオードの発光により、大当り電飾及び当該大当たり電飾に類似した客待ちモード電飾演出を行うようにしてもよい。これにより、上記第１実施形態にて述べた大当たり電飾演出をさらに多様にすることができる。
（第３実施形態）
図１８〜図２０は、本発明の第３実施形態の要部を示している。当該第３実施形態では、上記第２実施形態にて述べた右側電飾部材３００ｂ及びハンドルＨに代えて、右側電飾部材３００ｄ及びハンドルＨａが採用されている。
【０２８７】
本第３実施形態において、右側電飾部材３００ｄは、中側電飾部３４０ａ及び上下両側電飾部３５０ａ、３６０ａでもって構成されている。ここで、中側電飾部３４０ａ及び上下両側電飾部３５０ａ、３６０ａは、それぞれ、上記第１実施形態にて述べた左側電飾部材３００ａの中側電飾部３１０及び上下両側電飾部３２０、３３０よりも前側（前枠２００ａの前側）へ膨出している。
【０２８８】
中側電飾部３４０ａは、上記第２実施形態にて述べた中側電飾部３４０に代えて、前枠２００ａの右側枠部の上下方向中間部位に沿い長手状に設けられており、当該中側電飾部３４０ａは、中側電飾部３４０の長手湾曲状レンズ３４１に代えて、長手湾曲状レンズ３４６を備えている。当該長手湾曲状レンズ３４６は、透明な樹脂材料でもって、中側電飾部３４０の長手湾曲状レンズ３４１よりも短く、かつ中側電飾部３１０の長手湾曲状レンズ３１１よりも長く前側（前枠２００ａの前側）へ膨出するような横断面湾曲状にて長手帯状に形成されている。なお、中側電飾部３４０ａのその他の構成は、中側電飾部３４０と同様である。
【０２８９】
上側電飾部３５０ａは、上記第２実施形態にて述べた上側電飾部３５０に代えて、前枠２００ａの右側枠部の上部及び前枠２００ａの上側枠部の右側部位に亘り設けられており、当該上側電飾部３５０ａは、上側電飾部３５０のレンズ３５１に代えて、レンズ３５６を備えている。
【０２９０】
当該レンズ３５６は、透明な樹脂材料でもって、レンズ３５１に類似するような形状にて形成されている。但し、当該レンズ３５６は、図１８或いは図１９にて示すように、上側電飾部３５０のレンズ３５１よりも短く、かつ、上側電飾部３２０のレンズ３２１よりも長く、前枠２００ａの前側へ膨出するように形成されている。なお、上側電飾部３５０ａのその他の構成は、上側電飾部３５０と同様である。
【０２９１】
下側電飾部３６０ａは、上記第２実施形態にて述べた下側電飾部３６０に代えて、前枠２００ａの右側枠部の下部及び前枠２００ａの下側枠部の右側部位に亘り設けられており、当該下側電飾部３６０ａは、下側電飾部３６０のレンズ３６１に代えて、レンズ３６７を備えている。
【０２９２】
当該レンズ３６７は、透明な樹脂材料でもって、レンズ３６１に類似するような形状にて形成されており、当該レンズ３６７は、レンズ３６１の長手湾曲状レンズ部３６１ａ及び湾曲Ｙ字状レンズ部３６１ｂに対応する長手湾曲状レンズ部３６７ａ及び湾曲Ｙ字状レンズ部３６７ｂを有するように形成されている。
【０２９３】
ここで、長手湾曲状レンズ部３６７ａ及び湾曲Ｙ字状レンズ部３６７ｂは、長手湾曲状レンズ部３６１ａ及び湾曲Ｙ字状レンズ部３６１ｂと類似する形状にて形成されている。但し、長手湾曲状レンズ部３６７ａ及び湾曲Ｙ字状レンズ部３６７ｂは、図１８〜図２０のいずれかにて示すように、下側電飾部３６０の長手湾曲状レンズ部３６１ａ及び湾曲Ｙ字状レンズ部３６１ｂよりも短く、かつ下側電飾部３３０の長手湾曲状レンズ部３３１ａ及び湾曲Ｙ字状レンズ部３３１ｂよりも長く、前枠２００の前側へ膨出するように形成されている。このことは、当該レンズ３６７は、レンズ３６１よりも短く、かつ、下側電飾部３３０のレンズ３３１よりも長く前側へ膨出することを意味する。
【０２９４】
このように構成した右側電飾部材３００ｄの膨出長さは、上記第２実施形態にて述べた右側電飾部材３００ｂの膨出長さよりも短く、かつ左側電飾部材３００ａの膨出長さよりも長くなっている。なお、上側電飾部３５０ａのその他の構成は、上側電飾部３５０と同様である。
【０２９５】
本第３実施形態において、ハンドルＨａは、右側電飾部材３００ｄの膨出長さ及び上記第２実施形態にて述べたハンドルＨよりも長く、かつ皿部材３９０よりも短く、前側へ延出するように形成されている。このことは、ハンドルＨａの延出長さは、右側電飾部材３００ｄの膨出長さ及び上記第２実施形態にて述べたハンドルＨの延出長さよりも長く、かつ、皿部材３９０の膨出長さよりも短いことを意味する。
【０２９６】
換言すれば、本第３実施形態では、ハンドルＨａが、その延出先端部にて、右側電飾部材３００ｄの膨出先端部位と皿部材３９０の膨出先端部位との間に位置する。また、ハンドルＨａは、皿部材３９０の皿３９１の開口部３９１ａよりも前方へ延出している。その他の構成は上記第２実施形態と同様である。
【０２９７】
このように構成した本第３実施形態においては、ハンドルＨａが、上述したごとく、その延出先端部にて、右側電飾部材３００ｄの膨出先端部位と皿部材３９０の膨出先端部位との間に位置する。
【０２９８】
これに伴い、上記第２実施形態にて述べた左側電飾部材３００ａ、本第３実施形態における右側電飾部材３００ｄ、本第３実施形態におけるハンドルＨａ及び上記第２実施形態にて述べた皿部材３９０の順序で、上記第２実施形態にて述べた前枠２００ａの前側へ、より一層、膨出或いは延出することとなる。
【０２９９】
ここで、上記第１実施形態にて述べたように前扉ＦＤの左側部位は、左側電飾部材３００ａと共に、当該パチンコ遊技機の後側へ引っ込むように構成されているのは勿論のこと、前扉ＦＤの外周部が構成上何の特徴も有さなければ、遊技者は、前扉ＦＤの外周部（前扉ＦＤの中央の周り）にはなかなか眼を向けることがないことから、前扉ＦＤにおいて、上述のごとく、ハンドルＨａが左側電飾部材３００ａの膨出先端部及び右側電飾部材３００ｄよりも前方へ延出し、かつ、皿部材３９０がハンドルＨａの延出先端部よりも前方へ膨出するように構成した。
【０３００】
これにより、前扉ＦＤにおいて、皿部材３９０、ハンドルＨａ、右側電飾部材３００ｂ及び左側電飾部材３００ａの前側への各膨出度合が相互に異なり不均一となることから、遊技者は、当該パチンコ遊技機の中央の周囲にある左側電飾部材３００ａ、ハンドルＨａ、右側電飾部材３００ｄや皿部材３９０に対してもより一層意識的に眼を向けるようになる。
【０３０１】
その結果、遊技者が左側電飾部材３００ａ、右側電飾部材３００ｄ、ハンドルＨａ及び皿部材３９０を全体として前扉ＦＤの前側から視認したとき、当該前扉ＦＤの外観（当該パチンコ遊技機の外観）が、より一層高い訴求力でもって強く遊技者の関心を引付け得る。これに伴い、上述した前扉の前側から視認したときの外観が、例えば、遊技者に対し、より一層、快適な視認感覚を与え得る。
【０３０２】
また、本第３実施形態では、上述したごとく、上記第１実施形態にて述べた左側電飾部材３００ａ、上記第１実施形態にて述べた右側電飾部材３００ｄ、ハンドルＨａ及び皿部材３９０の順序で、より長く、前枠２００ａの前方へ膨出或いは延出していることを前提として、皿部材３９０の電飾演出が、左側電飾部材３００ａ及び右側電飾部材３００ｂの各電飾演出と相俟って、なされることから、上記第１実施形態の場合よりも、より一層、遊技者に対する電飾演出の視認効果が高められ得る。
【０３０３】
ここで、左側電飾部材３００ａが、中側電飾部３１０、上側電飾部３２０及び下側電飾部３３０に分かれているとともに、右側電飾部材３００ｄが、中側電飾部３４０ａ、上側電飾部３５０ａ及び下側電飾部３６０ａに分かれている。従って、本第３実施形態においても、左側電飾部材３００ａ及び右側電飾部材３００ｂは、それぞれ、色々な電飾演出態様を実現し易い。
【０３０４】
また、本第３実施形態においては、ハンドルＨａは、上述のごとく、皿部材３９０の皿３９１の開口部３９１ａよりも前方へ延出している。これは、遊技者による皿３９１の開口部３９１ａに対する左手の伸ばし方及びハンドルＨａに対する右手の伸ばし方が、脳における混同を起こすことなく人間工学的に行われ易いようにするためである。これにより、遊技者は、疲れを招くことなく容易に、左手で皿３９１の開口部３９１ａ内の遊技球いじりながら右手でハンドルＨａを操作し得る。
【０３０５】
また、本第３実施形態においても、上記第２実施形態と同様に、演出表示装置８０による客待ちモード表示演出の後、左側電飾部材３００ａ、右側電飾部材３００ｂ及び皿電飾手段３９０ｂ、３９０ｃにより客待ちモード電飾演出を行うようので、新たな客が当該パチンコ遊技機の前扉ＦＤを見たとき、当該新たな客は、演出表示装置８０が上述した客待ちモード演出表示を行った後、左側電飾部材３００ａ、右側電飾部材３００ｄ、左側皿電飾部材３９０ｂ及び右側皿電飾部材３９０ｃが上述した客待ちモード電飾演出を行っていることを視認することとなる。
【０３０６】
その結果、新たな客が、当該パチンコ遊技機が既に大当たりの成立により多くの遊技球を獲得されているかのように錯覚をより一層強く起こすこととなり、当該新たな客を当該パチンコ遊技機による遊技により一層強く誘導することが可能となる。その他の作動、演出処理及び作用効果は上記第２実施形態と同様である。
（第４実施形態）
図２１〜図２４は、本発明の第４実施形態の要部を示している。本第４実施形態では、上記第１実施形態において、左側電飾部材３００ａは、中側電飾部３１０、上側電飾部３２０及び下側電飾部３３０をまとめて第１左電飾部としたとき、この第１左電飾部に加えて、上下両側第２左電飾部ＥＬを備えるとともに、右側電飾部材３００ｂは、中側電飾部３４０、上側電飾部３５０及び下側電飾部３６０をまとめて第１右電飾部としたとき、この第１右電飾部に加えて、上下両側の第２右電飾部ＥＲを備える構成となっている。
【０３０７】
本第４実施形態において、上下両側第２左電飾部ＥＬのうち、上側第２左電飾部ＥＬは、前枠２００ａの左側枠部のうち中側電飾部３１０と上側電飾部３２０との間に対する対応部位にて、中側電飾部３１０及び上側電飾部３２０に隣接するように設けられている。一方、下側第２左電飾部ＥＬは、前枠２００ａの左側枠部のうち中側電飾部３１０と下側電飾部３３０との間に対する対応部位にて、中側電飾部３１０及び下側電飾部３３０に隣接するように設けられている。
【０３０８】
左側電飾部材３００ａにおいて、上側第２左電飾部ＥＬは、レンズＥＬ１を有しており、当該レンズＥＬ１は、透明な樹脂材料でもって、左右方向には長手状に、かつ上下方向には細幅状となるように、中側電飾部３１０の湾曲状レンズ３１１と同様の前側への膨出度合にて、前側へ緩やかに凸な横断面湾曲形状（レンズＥＬ１の幅方向断面湾曲形状）に形成されている。
【０３０９】
本第４実施形態では、第１左電飾部（中側電飾部３１０、上側電飾部３２０及び下側電飾部３３０）が、それぞれ、上記第１実施形態にて述べたように上下方向に長手状に構成されているのに対し、第２左電飾部（上下両側第２左電飾部ＥＬ）が上下方向には細幅状に左右方向には長手状に構成されていることから、第１左電飾部（中側電飾部３１０、上側電飾部３２０及び下側電飾部３３０）を左縦方向電飾部といい、第２左電飾部（上下両側第２左電飾部ＥＬ）を左横方向電飾部ともいう。なお、上側電飾部３２０は、上側第２左電飾部ＥＬの上下方向幅だけ、短くなっている。
【０３１０】
また、上側第２左電飾部ＥＬは、複数の３色（ＲＧＢ）発光ダイオード（図示しない）を有しており、当該複数の３色（ＲＧＢ）発光ダイオードは、レンズＥＬ１により覆蓋されて、前枠２００ａの左側枠部のうち中側電飾部３１０と上側電飾部３２０との間に対する対応部位に基板（図示しない）を介し、左右方向に間隔をおいて配設されている。なお、このように複数の３色（ＲＧＢ）発光ダイオードが左右方向に間隔をおいて配設されていることが、上述のように上下両側第２左電飾部ＥＬを左横方向電飾部と称する根拠の１つにもなっている。
【０３１１】
しかして、上側第２左電飾部ＥＬは、各３色（ＲＧＢ）発光ダイオードにて、共に或いは選択的に色彩発光し、レンズＥＬ１を通して前方に向けてフルカラーで投光する。
【０３１２】
一方、下側第２左電飾部ＥＬは、レンズＥＬ２を有しており、当該レンズＥＬ２は、透明な樹脂材料でもって、左右方向には長手状に、かつ上下方向には細幅状となるように、中側電飾部３１０の湾曲状レンズ３１１と同様の前側への膨出度合にて、前側へ緩やかに凸な横断面湾曲形状（レンズＥＬ２の幅方向断面湾曲形状）に形成されている。
【０３１３】
本第４実施形態では、第１右電飾部（中側電飾部３４０、上側電飾部３５０及び下側電飾部３６０）が、それぞれ、上記第１実施形態にて述べたように上下方向に長手状に構成されているのに対し、第２右電飾部（上下両側第２右電飾部ＥＲ）が上下方向には細幅状に左右方向には長手状に構成されていることから、第１右電飾部（中側電飾部３４０、上側電飾部３５０及び下側電飾部３６０）を右縦方向電飾部といい、第２右電飾部（上下両側第２右電飾部ＥＲ）を右横方向電飾部ともいう。なお、下側電飾部３３０は、下側第２左電飾部ＥＬの上下方向幅だけ、短くなっている。
【０３１４】
また、下側第２左電飾部ＥＬは、複数の３色（ＲＧＢ）発光ダイオード（図示しない）を有しており、当該複数の３色（ＲＧＢ）発光ダイオードは、レンズＥＬ２により覆蓋されて、前枠２００ａの左側枠部のうち中側電飾部３１０と下側電飾部３３０との間に対する対応部位に基板（図示しない）を介し、左右方向に間隔をおいて配設されている。なお、このように複数の３色（ＲＧＢ）発光ダイオードが左右方向に間隔をおいて配設されていることが、上述のように上下両側第２右電飾部ＥＬを右横方向電飾部と称する根拠の１つにもなっている。
【０３１５】
しかして、下側第２左電飾部ＥＬは、各３色（ＲＧＢ）発光ダイオードにて、共に或いは選択的に色彩発光し、レンズＥＬ２を通して前方に向けてフルカラーにて投光する。
【０３１６】
右側電飾部材３００ｂにおいて、上側第２右電飾部ＥＲは、レンズＥＲ１を有しており、当該レンズＥＲ１は、透明な樹脂材料でもって、左右方向には長手状に、かつ上下方向には細幅状となるように、中側電飾部３４０の湾曲状レンズ３４１と同様の前側への膨出度合にて、前側へ緩やかに凸な横断面湾曲形状（レンズＥＲ１の幅方向断面湾曲形状）に形成されている。
【０３１７】
このことは、上側第２右電飾部ＥＲは、上側第１左電飾部ＥＬよりも、前方へ膨出していることを意味する。
【０３１８】
また、上側第２右電飾部ＥＲは、複数の３色（ＲＧＢ）発光ダイオード（図示しない）を有しており、当該複数の３色（ＲＧＢ）発光ダイオードは、レンズＥＲ１により覆蓋されて、前枠２００ａの右側枠部のうち中側電飾部３４０と上側電飾部３５０との間に対する対応部位に基板（図示しない）を介し、左右方向に間隔をおいて配設されている。
【０３１９】
しかして、上側第２右電飾部ＥＲは、各３色（ＲＧＢ）発光ダイオードにて、共に或いは選択的に色彩発光し、レンズＥＲ１を通して前方に向けてフルカラーにて投光する。
【０３２０】
一方、下側第２右電飾部ＥＲは、レンズＥＲ２を有しており、当該レンズＥＲ２は、透明な樹脂材料でもって、左右方向には長手状に、かつ上下方向には細幅状となるように、中側電飾部３４０の湾曲状レンズ３４１と同様の前側への膨出度合にて、前側へ緩やかに凸な横断面湾曲形状（レンズＥＲ２の幅方向断面湾曲形状）に形成されている。。
【０３２１】
このことは、下側第２右電飾部ＥＲは、下側第１左電飾部ＥＬよりも、前方へ膨出していることを意味する。
【０３２２】
また、下側第２右電飾部ＥＲは、複数の３色（ＲＧＢ）発光ダイオード（図示しない）を有しており、当該複数の３色（ＲＧＢ）発光ダイオードは、レンズＥＲ２により覆蓋されて、前枠２００ａの右側枠部のうち中側電飾部３４０と下側電飾部３６０との間に対する対応部位に基板（図示しない）を介し、左右方向に間隔をおいて配設されている。
【０３２３】
しかして、下側第２右電飾部ＥＲは、各３色（ＲＧＢ）発光ダイオードにて、共に或いは選択的に色彩発光し、レンズＥＲ２を通して前方に向けてフルカラーにて投光する。
【０３２４】
また、本第４実施形態では、上記第１実施形態にて述べた左側枠発光ダイオード群Ｌ１及び右側枠発光ダイオード群Ｌ２（図８参照）が、図２３にて示すごとく、第１左側枠発光ダイオード群Ｌ１１及び第１右側枠発光ダイオード群Ｌ２１として、ランプ制御部５００ｄに接続されている。
【０３２５】
また、本第４実施形態では、さらに、第２左側枠発光ダイオード群Ｌ１２及び第２右側枠発光ダイオード群Ｌ２２が、図２３にて示すごとく、付加的にランプ制御部５００ｄに接続されている。
【０３２６】
ここで、第１左側枠発光ダイオード群Ｌ１１は、第１左下側枠発光ダイオード群Ｌ１１ｄ（下側電飾部３３０の各発光ダイオード３３２〜３３５からなる発光ダイオード群）、第１左中側枠発光ダイオード群Ｌ１１ｍ（中側電飾部３１０の各発光ダイオード３１２〜３１４からなる発光ダイオード群）及び第第１左上側発光ダイオード群Ｌ１１ｕ（上側電飾部３２０の各発光ダイオード３２２〜３２４からなる発光ダイオード群）でもって構成される。
【０３２７】
第１右側枠発光ダイオード群Ｌ２１は、第１右下側枠発光ダイオード群Ｌ２１ｄ（下側電飾部３６０の各発光ダイオード３６２〜３６５からなる発光ダイオード群）、第１右中側枠発光ダイオード群Ｌ２１ｍ（中側電飾部３４０の各発光ダイオード３４２〜３４４からなる発光ダイオード群）及び第１右上側発光ダイオード群Ｌ２１ｕ（上側電飾部３５０の各発光ダイオード３５２〜３５４からなる発光ダイオード群）でもって構成される。
【０３２８】
第２左側枠発光ダイオード群Ｌ１２は、第２左下側発光ダイオード群Ｌ１２ｄ（下側第２左電飾部ＥＬの複数の発光ダイオードからなる発光ダイオード群）及び第２左上側発光ダイオード群Ｌ１２ｕ（上側第２左電飾部ＥＬの複数の発光ダイオードからなる発光ダイオード群）でもって構成されている。
【０３２９】
また、第２右側枠発光ダイオード群Ｌ１２は、第２左下側発光ダイオード群Ｌ１２ｄ（下側第２左電飾部ＥＬの複数の発光ダイオードからなる発光ダイオード群）及び第２左上側発光ダイオード群Ｌ１２ｕ（上側第２左電飾部ＥＬの複数の発光ダイオードからなる発光ダイオード群）でもって構成されている。
【０３３０】
また、本第４実施形態では、上記第１実施形態にて述べた演出制御プログラムを実行するためのフローチャートにおいて、図１２のフローチャートが、図２４にて示すフローチャートに変更されている。その他の構成は、上記第１実施形態と同様である。
【０３３１】
このように構成した本第４実施形態において、上側第２右電飾部ＥＲは、上側第２左電飾部ＥＬよりも、前方（前枠２００ａの前方）へ膨出するとともに、下側第２右電飾部ＥＲは、下側第２左電飾部ＥＬよりも前方（前枠２００ａの前方）へ膨出している。
【０３３２】
従って、上記第１実施形態と同様に、右側電飾部材３００ｂが、上下両側第２右電飾部ＥＲをも含めて、上下両側第２左電飾部ＥＬを含む左側電飾部材３００ａよりも前方へ膨出するとともに、皿部材３９０が、上下両側第２右電飾部ＥＲをも含む右側電飾部材３００ｂよりも前方へ膨出している。
【０３３３】
これにより、上記第１実施形態と同様に、皿部材３９０、上下両側第２右電飾部ＥＲを含む右側電飾部材３００ｂ及び上下両側第２左電飾部ＥＬを含む左側電飾部材３００ａの前側への各膨出度合が相互に異なり不均一となることから、遊技者が上下両側第２左電飾部ＥＬを含む左側電飾部材３００ａ、上下両側第２右電飾部ＥＲを含む右側電飾部材３００ｂ及び皿部材３９０を全体として前扉ＦＤの前側から視認したとき、当該前扉ＦＤの外観（当該パチンコ遊技機の外観）が、高い訴求力でもって強く遊技者の関心を引付け得る。これに伴い、上述した前扉の前側から視認したときの外観が、例えば、遊技者に対し、快適な視認感覚を与え得る。
【０３３４】
また、右側電飾部材３００ｂが、上下両側第２右電飾部ＥＲをも含めて、上下両側第２左電飾部ＥＬを含む左側電飾部材３００ａよりも前方へ膨出するとともに、皿部材３９０が右側電飾部材３００ｂよりも前方へ膨出していることを前提として、皿部材３９０の左右両側皿電飾部材３９０ｂ、３９０ｃの電飾演出が、左側電飾部材３００ａ及び右側電飾部材３００ｂの各電飾演出と相俟って、なされることから、上記第１実施形態と同様に、遊技者に対する電飾の視認効果がより一層高められ得る。
【０３３５】
ここで、左側電飾部材３００ａのうち中側電飾部３１０、上側電飾部３２０及び下側電飾部３３０は、上述したごとく、前枠２００ａの左側枠部の上下方向に沿い長手状に形成されているのに対し、上側第２電飾部ＥＬ及び下側第２電飾部ＥＬは、それぞれ、上側電飾部３２０と中側電飾部３１０との間及び中側電飾部３１０と下側電飾部３３０との間において、細幅状にて、前枠２００ａの左側枠部の左右方向に長手状に形成されている。
【０３３６】
このことは、上側第２電飾部ＥＬ及び下側第２電飾部ＥＬは、それぞれ、中側電飾部３１０、上側電飾部３２０及び下側電飾部３３０とは異なる形状を有するとともに、中側電飾部３１０、上側電飾部３２０及び下側電飾部３３０とは異なる方向に延在していることを意味する。
【０３３７】
ここで、上述のように、上下両側第２電飾部ＥＬの形状が中側電飾部３１０、上側電飾部３２０及び下側電飾部３３０の形状とは異なる形状となっていることで、上下両側第２電飾部ＥＬは、左側側電飾部材３００ａにおいて、アクセント的な機能を発揮し得る。
【０３３８】
また、右側電飾部材３００ｂのうち中側電飾部３４０、上側電飾部３５０及び下側電飾部３６０は、上述したごとく、前枠２００ａの右側枠部の上下方向に沿い長手状に形成されているのに対し、上下両側第２電飾部ＥＲは、細幅状にて、前枠２００ａの右側枠部の左右方向に長手状に形成されている。
【０３３９】
このことは、上側第２電飾部ＥＲ及び下側第２電飾部ＥＲは、それぞれ、中側電飾部３４０、上側電飾部３５０及び下側電飾部３６０とは異なる形状を有するとともに、中側電飾部３４０、上側電飾部３５０及び下側電飾部３６０とは異なる方向に延在していることを意味する。
【０３４０】
ここで、上述のように、上下両側第２電飾部ＥＲの形状が中側電飾部３４０、上側電飾部３５０及び下側電飾部３６０の形状とは異なる形状となっていることで、上下両側第２電飾部ＥＲは、右側側電飾部材３００ｂにおいて、アクセント的な機能を発揮し得る。  
【０３４１】
その結果、上下両側第２電飾部ＥＬ及び上下両側第２電飾部ＥＲは、前枠２００ａにおいて、アクセント的な機能の発揮により遊技者に対し斬新な視認感覚を与え得る。
【０３４２】
また、本第４実施形態においては、上記第１実施形態と同様にシステム制御部５００ｂが、演出制御プログラムの実行に伴い、ステップ２１３１（図１２及び図２４参照）における大当たり遊技表示演出処理を行った後、ステップ２１３４（図２４参照）における縦方向及び横方向の各電飾部による大当たり電飾演出処理からステップ２１３３（図２４参照）における大当たり音電飾処理にかけて順次行われる。
【０３４３】
ステップ２１３４における縦方向及び横方向の各電飾部による大当たり電飾演出処理では、縦方向電飾部である第１左電飾部及び第１右電飾部による大当たり電飾演出処理及び横方向電飾部である第２左電飾部及び第２右電飾部による大当たり電飾演出処理が、システム制御部５００ｂによる制御のもと、次のようになされる。
【０３４４】
まず、第１左電飾部である中側電飾部３１０及び上下両側電飾部３２０、３３０のうちの下側電飾部３３０による大当たり電飾演出処理及び第１右電飾部である中側電飾部３４０及び上下両側電飾部３５０、３６０のうちの下側電飾部３６０による大当たり電飾演出処理がなされる。
【０３４５】
ついで、第２左電飾部である上下両側左電飾部ＥＬのうちの下側左電飾部ＥＬによる大当たり電飾演出処理及び第２右電飾部である上下両側右電飾部ＥＲのうちの下側右電飾部ＥＲによる大当たり電飾演出処理がなされる。
【０３４６】
然る後、中側電飾部３１０による大当たり電飾演出処理及び中側電飾部３４０による大当たり電飾演出処理がなされる。
【０３４７】
これに続いて、上側左電飾部ＥＬによる大当たり電飾演出処理及び上側右電飾部ＥＲによる大当たり電飾演出処理がなされる。
【０３４８】
さらに、上側電飾部３２０による大当たり電飾演出処理及び上側電飾部３５０による大当たり電飾演出処理がなされる。
【０３４９】
換言すれば、上下両側左電飾部ＥＬを含む左側電飾部材３００ａによる大当たり電飾演出が、前枠２００ａの左側枠部に沿い下方から上方に向けて、上記第１実施形態のステップ２１３２（図１２参照）における大当たり電飾演出と同様になされるとともに、上下両側右電飾部ＥＲを含む左側電飾部材３００ｂによる大当たり電飾演出が、前枠２００ａの右側枠部に沿い下方から上方に向けて、上記第１実施形態のステップ２１３２（図１２参照）における大当たり電飾演出と同様になされる。
【０３５０】
ついで、ステップ２１３５において皿電飾部による大当たり電飾演出処理がなされる。ここでは、上記第１実施形態と同様に、左側皿電飾部材３９０ｂ及び右側皿電飾部材３９０ｃが、大当たりを表す電飾演出態様（例えば、レインボウ電飾態様）にて電飾演出を行う。
【０３５１】
然る後、ステップ２１３３における大当たり音電飾演出処理が、上記第１実施形態と同様になされる。
【０３５２】
ここで、左右両側皿電飾部材３９０ｂ、３９０ｃが、第１左電飾部、第１右電飾部、第２左電飾部（上下両側第２電飾部ＥＬ）、第２右電飾部（上下両側の第２電飾部ＥＲ）でもって、上側電飾部３７０及び両音演出部３８０と相まって、大当たり電飾演出を行う。これにより、本第４実施形態においても、上記第１実施形態にて述べた作用効果がより一層向上され得る。なお、その他の作動、演出処理や作用効果は上記第１実施形態と同様である。
【０３５３】
本発明の実施にあたり、上記第４実施形態では、上下両側第２電飾部ＥＬ及び上下両側第２電飾部ＥＲは、それぞれ、複数の発光ダイオードを左右方向に配設して構成されているが、これに限ることなく、上下両側第２電飾部ＥＬ及び上下両側第２電飾部ＥＲが上下方向には細幅状にて左右方向に長手状に形成されていれば、複数の発光ダイオードは、例えば、上下方向に配設されていてもよい。
【０３５４】
要するに、上下両側第２電飾部ＥＬ及び上下両側第２電飾部ＥＲが、第１左電飾部（中側電飾部３１０、上側電飾部３２０及び下側電飾部３３０）及び第１右電飾部（中側電飾部３４０、上側電飾部３５０及び下側電飾部３６０）である各縦方向電飾部とは形状を異にする各横方向電飾部として形成されていれば、複数の発光ダイオードはどのように配設されていてもよい。
（第５実施形態）
図２５は、本発明の第５実施形態の要部を示している。当該第５実施形態においては、上記第４実施形態にて述べた演出制御プログラムを実行するためのフローチャートにおいて、図２４のフローチャートが、図２５にて示すフローチャートに変更されている。その他の構成は、上記第４実施形態と同様である。
【０３５５】
このように構成した本第５実施形態において、上記第４実施形態にて述べたごとく、システム制御部５００ｂが、演出制御プログラムの実行に伴い、ステップ２１３１（図２４及び図２５参照）における大当たり遊技表示演出処理を行った後、ステップ２１３４ａ（図２５参照）において縦方向及び横方向の各電飾部による大当たり輝度低下電飾演出処理がなされる。
【０３５６】
この大当たり輝度低下電飾演出処理においては、上記第４実施形態にて述べた左右両側電飾部材３００ａ、３００ｂ（図２１参照）が、その各複数の発光ダイオードにて、前枠２００ａの左右両側枠部に沿い、下方から上方に向けて、順次、輝度（明るさ）を低下させながら発光するように、システム制御部５００ｂによる制御のもと、ランプ制御部５００ｄより制御される。
【０３５７】
換言すれば、上記第４実施形態にて述べた第１左側枠発光ダイオード群Ｌ１１及び第１右側枠発光ダイオード群Ｌ２１が、第２左側枠発光ダイオード群Ｌ１２及び第２右側枠発光ダイオード群Ｌ２２とともに、下方から上方に向けて、順次、輝度低下による不均一な輝度（明るさ）となるように発光するように制御される。
【０３５８】
即ち、第１左下側枠発光ダイオード群Ｌ１ｄの発光ダイオード３３４、３３５、第２左下側枠発光ダイオード群Ｌ１２ｄである下側第２左電飾部ＥＬの各発光ダイオード、第１左中側枠発光ダイオード群Ｌ１１ｍの発光ダイオード３１２、３１３、３１４、第２左上側枠発光ダイオード群Ｌ１２ｕである上側第２左電飾部ＥＬの各発光ダイオード及び第１左上側枠発光ダイオード群Ｌ１１ｕの上側電飾部３２０の発光ダイオード３２２、３２３、３２４に亘り、その順序にて、下方から上方に向け、順次、輝度（明るさ）を低下させながら発光するように制御される。
【０３５９】
一方、第１右下側枠発光ダイオード群Ｌ２１ｄの発光ダイオード３６４、３６５、第２右側枠発光ダイオード群Ｌ２２ｄである下側右電飾部ＥＲの各発光ダイオード、第１右中側枠発光ダイオード群Ｌ２１ｍである中側電飾部３４０の発光ダイオード３４２、３４３、３４４、第２右上側発光ダイオード群Ｌ２２ｕである上側第２左電飾部ＥＲの各発光ダイオード及び第１右上側枠発光ダイオード群Ｌ２１ｕである上側電飾部３５０の発光ダイオード３５２、３５３、３５４に亘り、その順序にて、下方から上方に向け、順次、輝度（明るさ）を低下させながら発光するように制御される。
【０３６０】
上述のように発光制御することで、前枠２００ａの左側枠部に沿いその下側に位置する発光ダイオードから上側に位置する発光ダイオードにかけて、前枠２００ａの左側枠部に沿い、順次、輝度を低下させながら発光するとともに、前枠２００ａの右側枠部に沿いその下側に位置する発光ダイオードから上側に位置する発光ダイオードにかけて、前枠２００ａの右側枠部に沿い、順次、輝度を低下させながら発光する。
【０３６１】
このように、上記第４実施形態にて述べた左右両側電飾部材３００ａ、３００ｂ（図２１参照）が上述のように左右両側第２電飾部ＥＬ、ＥＲを有することを前提に、光が輝度を低下させながら前枠２００ａの左側枠部及び右側枠部の双方に沿い下方から上方へ進んでいくような各発光ダイオードの発光態様でもって、前枠２００ａの左右両側に沿い電飾演出がなされる。
【０３６２】
その結果、上述した第４実施形態にて述べた作用効果を達成しつつ、さらに、遊技者に対し視覚的な遊技の楽しみを与えて当該パチンコ遊技機に対し付加価値を提供することができる。その他の作動、演出処理及び作用効果は、上記第４実施形態と同様である。
【０３６３】
なお、上記第５実施形態においては、上述のように、ステップ２１３４ａの処理に伴い各発光ダイオードが下方から上方へ輝度を順次低下させながら光を進めるような発光態様で発光するのに代えて、逆に、各発光ダイオードが上方から下方へ輝度を順次低下させながら光を進めるような発光態様で発光するようにしてもよく、また、一般的には、各発光ダイオードが下方から上方へ或いは上方から下方へ不均一な輝度にて順次変化しながら進むような発光態様で発光するようにしてもよい。
（第６実施形態）
図２６〜図２８は、本発明の第６実施形態の要部を示している。本第６実施形態は、上記第２実施形態（図１４〜図１７参照）における左側電飾部材３００ａ対し、上記第４実施形態と同様に上下両側左電飾部ＥＬ（図２１参照）を加えるとともに、上記第２実施形態における右側電飾部材３００ｂに対し、上記第４実施形態にて述べた上下両側右電飾部ＥＲに代わる上下両側右電飾部ＥＲａを加えた構成を採用している。
【０３６４】
これに伴い、本第６実施形態にいう左側電飾部材３００ａは、上記第４実施形態と同様に、中側電飾部３１０、上側電飾部３２０及び下側電飾部３３０をまとめた第１左電飾部に、上下両側第２左電飾部ＥＬを加えた構成となっている一方、本第６実施形態にいう右側電飾部材３００ｂは、上記第４実施形態と同様に中側電飾部３４０、上側電飾部３５０及び下側電飾部３６０をまとめた第１右電飾部に、上下両側第２右電飾部ＥＲａを加えた構成となっている。
【０３６５】
当該上下両側第２電飾部ＥＲａにおいて、上側第２右電飾部ＥＲは、レンズＥＲ１ａを有しており、当該レンズＥＲ１ａは、透明な樹脂材料でもって、左右方向には長手状に、かつ上下方向には細幅状となるように、中側電飾部３４０の湾曲状レンズ３４１と同様の前側への膨出度合にて、前側へ緩やかに凸な横断面湾曲形状（ＥＲ１ａの幅方向断面湾曲形状）に形成されている。
【０３６６】
このことは、上側第２右電飾部ＥＲａは、上側第１左電飾部ＥＬよりも、前方へ膨出していることを意味する。なお、上側第２右電飾部ＥＲａのその他の構成は、上記第４実施形態にて述べた上側第２右電飾部ＥＲの構成と実質的に同様である。
【０３６７】
一方、下側第２右電飾部ＥＲａは、レンズＥＲ２ａを有しており、当該レンズＥＲ２ａは、透明な樹脂材料でもって、左右方向には長手状に、かつ上下方向には細幅状となるように、中側電飾部３４０の湾曲状レンズ３４１と同様の前側への膨出度合にて、前側へ緩やかに凸な横断面湾曲形状（ＥＲ２ａの幅方向断面湾曲形状）に形成されている。
【０３６８】
このことは、下側第２右電飾部ＥＲａは、下側第１左電飾部ＥＬよりも、前方へ膨出していることを意味する。なお、下側第２右電飾部ＥＲａのその他の構成は、上記第４実施形態にて述べた下側第２右電飾部ＥＲの構成と実質的に同様である。
【０３６９】
また、本第６実施形態では、上記第４実施形態にて述べた図２３の制御回路構成が、上記第１実施形態にて述べた図８の制御回路構成に代えて採用されるとともに、上記第１実施形態にて述べた演出制御プログラムを実行するためのフローチャートが、図１２にて示すフローチャートに代えて、上記第４実施形態にて述べた図２４にて示すフローチャートを採用するように変更されている。その他の構成は、上記第２実施形態（図１４〜図１７参照）の構成（ハンドルＨを有する）と同様である。
【０３７０】
このように構成した本第６実施形態においては、上述したように、上側第２右電飾部ＥＲａは、上側第２左電飾部ＥＬよりも、前方（前枠２００ａの前方）へ膨出するとともに、下側第２右電飾部ＥＲａは、下側第２左電飾部ＥＬよりも前方（前枠２００ａの前方）へ膨出している。
【０３７１】
また、ハンドルＨが、その延出先端部にて、上記第２実施形態と同様に、左側電飾部材３００ａの膨出先端部と右側電飾部材３００ｂの膨出先端部との間に位置する。
【０３７２】
これに伴い、上下両側第２左電飾部ＥＬを有する左側電飾部材３００ａ、上記第２実施形態におけるハンドルＨ、上下両側第２右電飾部ＥＲａを有する右側電飾部材３００ｂ及び皿部材３９０の順序で、より長く、上記第２実施形態にて述べた前枠２００ａの前方へ延出或いは膨出することとなる。
【０３７３】
これにより、上記第２実施形態と同様に、皿部材３９０、上下両側第２右電飾部ＥＲａを含む右側電飾部材３００ｂ、ハンドルＨ及び上下両側第２左電飾部ＥＬを含む左側電飾部材３００ａの前側への各膨出度合が相互に異なり不均一となることから、遊技者が上下両側第２左電飾部ＥＬを含む左側電飾部材３００ａ、ハンドルＨ、上下両側第２右電飾部ＥＲａを含む右側電飾部材３００ｂ及び皿部材３９０を全体として前扉ＦＤの前側から視認したとき、当該前扉ＦＤの外観（当該パチンコ遊技機の外観）が、高い訴求力でもって強く遊技者の関心を引付け得る。これに伴い、上述した前扉の前側から視認したときの外観が、例えば、遊技者に対し、快適な視認感覚を与え得る。
【０３７４】
また、本第６実施形態において、上記第４実施形態と同様に、システム制御部５００ｂが、演出制御プログラムの実行中において、ステップ２１３４（図２４参照）における縦方向及び横方向の各電飾部による大当たり電飾演出処理からステップ２１３３（図２４参照）における大当たり音電飾処理にかけて順次行う。
【０３７５】
これに伴い、上下両側第２左電飾部ＥＬを含む左側電飾部材３００ａによる大当たり電飾演出が、前枠２００ａの左側枠部に沿い下方から上方に向けて、上記第１実施形態のステップ２１３２（図１２参照）における大当たり電飾演出と同様になされるとともに、上下両側第２右電飾部ＥＲａを含む右側電飾部材３００ｂによる大当たり電飾演出が、前枠２００ａの右側枠部に沿い下方から上方に向けて、上記第１実施形態のステップ２１３２（図１２参照）における大当たり電飾演出と同様になされ、ついで、ステップ２１３３における大当たり音電飾演出が、上記第１実施形態と同様になされる。
【０３７６】
これにより、本第６実施形態においても、上記第４実施形態にて述べた作用効果と同様の作用効果が達成され得る。なお、その他の作動、演出処理や作用効果は上記第４実施形態と同様である。
（第７実施形態）
図２９は、本発明の第７実施形態の要部を示している。当該第７実施形態においては、上記第６実施形態にて述べた演出制御プログラムを実行するためのフローチャートにおいて、上記第５実施形態における図２５のフローチャートが、図２９にて示すフローチャートに変更されている。その他の構成は、上記第６実施形態と同様である。
【０３７７】
このように構成した本第７実施形態において、上記第５実施形態にて述べたごとく、システム制御部５００ｂが、演出制御プログラムの実行に伴い、ステップ２１３１（図２５及び図２９参照）における大当たり遊技表示演出処理を行った後、ステップ２１３４ｂにおいて縦方向及び横方向の各電飾部による大当たり輝度低下電飾演出処理がなされる。
【０３７８】
この大当たり輝度低下電飾演出処理においては、上記第６実施形態にて述べた左右両側電飾部材３００ａ、３００ｂが、その各複数の発光ダイオードにて、前枠２００ａの左右両側枠部に沿い、下側の発光ダイオードから上側の発光ダイオードにかけて、順次、輝度（明るさ）を低下させながら発光するように、システム制御部５００ｂによる制御のもと、ランプ制御部５００ｄより制御される。
【０３７９】
換言すれば、上記第６実施形態にて述べた第１左側枠発光ダイオード群Ｌ１１及び第１右側枠発光ダイオード群Ｌ２１が、第２左側枠発光ダイオード群Ｌ１２及び第２右側枠発光ダイオード群Ｌ２２とともに、下側の発光ダイオードから上側の発光ダイオードにかけてけて、順次、輝度（明るさ）を低下するように発光制御される。
【０３８０】
即ち、左側電飾部材３００ａにおいては、各発光ダイオード３３４、３３５、下側第２左電飾部ＥＬの各発光ダイオード、各発光ダイオード３１２、３１３、３１４、上側第２左電飾部ＥＬの各発光ダイオード及び各発光ダイオード３２２、３２３、３２４に亘り、その順序にて、下側の発光ダイオードから上側の発光ダイオードにかけて、順次、輝度（明るさ）を低下しながら発光するように制御される。
【０３８１】
一方、右側電飾部材３００ｂにおいては、各発光ダイオード３６４、３６５、下側第２右電飾部ＥＲａの各発光ダイオード、各発光ダイオード３４２、３４３、３４４、上側第２左電飾部ＥＲａの各発光ダイオード及び各発光ダイオード３５２、３５３、３５４に亘り、その順序にて、下側の発光ダイオードから上側の発光ダイオードにかけて、順次、輝度（明るさ）を低下しながら発光するように制御される。
【０３８２】
上述のように発光制御することで、前枠２００ａの左側枠部に沿いその下側に位置する発光ダイオードから上側に位置する発光ダイオードにかけて、前枠２００ａの左側枠部に沿い、順次、輝度を低下しながら発光するとともに、前枠２００ａの右側枠部に沿いその下側に位置する発光ダイオードから上側に位置する発光ダイオードにかけて、前枠２００ａの右側枠部に沿い、順次、輝度を低下しながら発光する。
【０３８３】
このように、上記第６実施形態にて述べた左右両側電飾部材３００ａ、３００ｂ（図２６参照）が上述のように上下左右両側第２電飾部ＥＬ、ＥＲａを有することを前提に、光が、輝度を低下させながら、前枠２００ａの左側枠部及び右側枠部の双方に沿い下方から上方へ進んでいくような各発光ダイオードの発光態様でもって、前枠２００ａの左右両側に沿い電飾演出がなされる。
【０３８４】
その結果、上述した第６実施形態にて述べた作用効果を達成しつつ、遊技者に対し視覚的な遊技の楽しみを与えて遊技機に付加価値を提供することができる。その他の作動、演出処理及び作用効果は、上記第６実施形態と同様である。
（第８実施形態）
図３０〜図３２は、本発明の第８実施形態の要部を示している。本第８実施形態は、上記第３実施形態（図１８〜図２０参照）において、左側電飾部材３００ａに対し、上記第４実施形態にて述べた上下両側左電飾部ＥＬ（図２１参照）を加えるとともに、上記第３実施形態における右側電飾部材３００ｄ（図１８参照）に対し、上記第６実施形態にて述べた上下両側右電飾部ＥＲａに代わる上下両側右電飾部ＥＲｂを加えた構成となっている。
【０３８５】
これに伴い、本第８実施形態にいう左側電飾部材３００ａは、上記第６実施形態と同様に、中側電飾部３１０、上側電飾部３２０及び下側電飾部３３０をまとめた第１左電飾部に、上下両側第２左電飾部ＥＬを加えた構成となっている。
【０３８６】
一方、本第８実施形態にいう右側電飾部材３００ｄは、上記第６実施形態と同様に中側電飾部３４０ａ、上側電飾部３５０ａ及び下側電飾部３６０ａをまとめた第２右電飾部に、上下両側右電飾部ＥＲｂを加えた構成となっている。
【０３８７】
当該上下両側電飾部ＥＲｂにおいて、上側右電飾部ＥＲｂは、レンズＥＲ１ｂを有しており、当該レンズＥＲ１ｂは、透明な樹脂材料でもって、左右方向には長手状に、かつ上下方向には細幅状となるように、中側電飾部３４０ａの湾曲状レンズ３４１と同様の前側への膨出度合にて、前側へ緩やかに凸な横断面湾曲形状（レンズＥＲ１ｂの幅方向断面湾曲形状）に形成されている。
【０３８８】
このことは、上側第２右電飾部ＥＲｂは、上側第１左電飾部ＥＬよりも、前方へ膨出していることを意味する。なお、上側第２右電飾部ＥＲｂのその他の構成は、上記第６実施形態にて述べた上側第２右電飾部ＥＲａの構成と実質的に同様である。
【０３８９】
一方、下側第２右電飾部ＥＲｂは、レンズＥＲ２ｂを有しており、当該レンズＥＲ２ｂは、透明な樹脂材料でもって、左右方向には長手状に、かつ上下方向に細幅状となるように、中側電飾部３４０ａの湾曲状レンズ３４１と同様の前側への膨出度合にて、前側へ緩やかに凸な横断面湾曲形状（レンズＥＲ２ｂの幅方向断面湾曲形状）に形成されている。
【０３９０】
このことは、下側第２右電飾部ＥＲｂは、下側左電飾部ＥＬよりも、前方へ膨出していることを意味する。なお、下側第２右電飾部ＥＲｂのその他の構成は、上記第６実施形態にて述べた下側右電飾部ＥＲａの構成と実質的に同様である。
【０３９１】
また、本第８実施形態では、上記第４実施形態にて述べた図２３の制御回路構成が、上記第１実施形態にて述べた図８の制御回路構成に代えて採用されるとともに、上記第１実施形態にて述べた演出制御プログラムを実行するためのフローチャートが、図１２にて示すフローチャートに代えて、上記第４実施形態にて述べた図２４にて示すフローチャートを採用するように変更されている。その他の構成は、上記第３実施形態（図１８〜図２０参照参照）の構成（ハンドルＨａを有する）と同様である。
【０３９２】
このように構成した本第８実施形態においては、上側第２右電飾部ＥＲｂは、上側第２左電飾部ＥＬよりも、前方（前枠２００ａの前方）へ膨出するとともに、下側第２右電飾部ＥＲｂは、下側第２左電飾部ＥＬよりも前方（前枠２００ａの前方）へ膨出している。
【０３９３】
また、ハンドルＨａが、その延出先端部にて、上記第３実施形態と同様に、右側電飾部材３００ｂの膨出先端部と皿部材３９０の膨出先端部との間に位置する。
【０３９４】
これに伴い、上下両側第２左電飾部ＥＬを有する左側電飾部材３００ａ、上下両側第２右電飾部ＥＲｂを有する右側電飾部材３００ｄ、ハンドルＨａ及び皿部材３９０の順序で、より長く、上記第３実施形態にて述べた前枠２００ａの前方へ延出或いは膨出することとなる。
【０３９５】
これにより、上記第３実施形態と同様に、皿部材３９０、ハンドルＨａ、上下両側第２右電飾部ＥＲを含む右側電飾部材３００ｄ及び上下両側第２左電飾部ＥＬを含む左側電飾部材３００ａの前側への各膨出度合が相互に異なり不均一となることから、遊技者が上下両側第２左電飾部ＥＬを含む左側電飾部材３００ａ、上下両側第２右電飾部ＥＲを含む右側電飾部材３００ｂ、ハンドルＨａ及び皿部材３９０を全体として前扉ＦＤの前側から視認したとき、当該前扉ＦＤの外観（当該パチンコ遊技機の外観）が、高い訴求力でもって強く遊技者の関心を引付け得る。これに伴い、上述した前扉の前側から視認したときの外観が、例えば、遊技者に対し、快適な視認感覚を与え得る。
【０３９６】
また、本第８実施形態において、上記第４実施形態と同様に、システム制御部５００ｂが、演出制御プログラムの実行中において、ステップ２１３４（図２４参照）における縦方向及び横方向の各電飾部による大当たり電飾演出処理からステップ２１３３における大当たり音電飾処理にかけて順次行う。
【０３９７】
これに伴い、上下両側第２左電飾部ＥＬを含む左側電飾部材３００ａによる大当たり電飾演出が、前枠２００ａの左側枠部に沿い下方から上方に向けて、上記第１実施形態のステップ２１３２（図１２参照）における大当たり電飾演出と同様になされるとともに、上下両側第２右電飾部ＥＲｂを含む左側電飾部材３００ｄによる大当たり電飾演出が、前枠２００ａの右側枠部に沿い下方から上方に向けて、上記第１実施形態のステップ２１３２（図１２参照）における大当たり電飾演出と同様になされ、ついで、ステップ２１３３における大当たり音電飾演出が、上記第１実施形態と同様になされる。
【０３９８】
これにより、本第８実施形態においても、上記第４或いは第６の実施形態にて述べた作用効果が達成され得る。なお、その他の作動、演出処理や作用効果は上記第４或いは第６の実施形態と同様である。
（第９実施形態）
図３３は、本発明の第９実施形態の要部を示している。当該第９実施形態においては、上記第８実施形態にて述べた演出制御プログラムを実行するためのフローチャートにおいて、上記第５実施形態における図２５のフローチャートが、図３３にて示すフローチャートに変更されている。その他の構成は、上記第８実施形態と同様である。
【０３９９】
このように構成した本第９実施形態において、上記第５実施形態にて述べたごとく、システム制御部５００ｂが、演出制御プログラムの実行に伴い、ステップ２１３１（図２５及び図３３参照）における大当たり遊技表示演出処理を行った後、ステップ２１３４ｃ（図３３参照）において縦方向及び横方向の各電飾部による大当たり輝度低下電飾演出処理がなされる。
【０４００】
この大当たり輝度低下電飾演出処理においては、上記第８実施形態にて述べた左右両側電飾部材３００ａ、３００ｄが、その各複数の発光ダイオードにて、前枠２００ａの左右両側枠部に沿い、下側の発光ダイオードから上側の発光ダイオードにかけて、順次、輝度（明るさ）を低下させながら発光するように、システム制御部５００ｂによる制御のもと、ランプ制御部５００ｄより制御される。
【０４０１】
換言すれば、上記第６実施形態にて述べた第１左側枠発光ダイオード群Ｌ１１及び第１右側枠発光ダイオード群Ｌ２１が、第２左側枠発光ダイオード群Ｌ１２及び第２右側枠発光ダイオード群Ｌ２２とともに、下側の発光ダイオードから上側の発光ダイオードにかけて、順次、輝度（明るさ）を低下するように発光制御される。
【０４０２】
即ち、左側電飾部材３００ａにおいては、各発光ダイオード３３４、３３５、下側第２左電飾部ＥＬの各発光ダイオード、各発光ダイオード３１２、３１３、３１４、上側第２左電飾部ＥＬの各発光ダイオード及び各発光ダイオード３２２、３２３、３２４に亘り、その順序にて、下側の発光ダイオードから上側の発光ダイオードにかけて、順次、輝度（明るさ）を低下しながら発光するように制御される。
【０４０３】
一方、右側電飾部材３００ｄにおいては、各発光ダイオード３６４、３６５、下側第２右電飾部ＥＲｂの各発光ダイオード、各発光ダイオード３４２、３４３、３４４、上側第２左電飾部ＥＲｂの各発光ダイオード及び各発光ダイオード３５２、３５３、３５４に亘り、その順序にて、下側の発光ダイオードから上側の発光ダイオードにかけて、順次、輝度（明るさ）を低下しながら発光するように制御される。
【０４０４】
上述のように発光制御することで、前枠２００ａの左側枠部に沿いその下側に位置する発光ダイオードから上側に位置する発光ダイオードにかけて、前枠２００ａの左側枠部に沿い、順次、輝度を低下しながら発光するとともに、前枠２００ａの右側枠部に沿いその下側に位置する発光ダイオードから上側に位置する発光ダイオードにかけて、前枠２００ａの右側枠部に沿い、順次、輝度を低下しながら発光する。
【０４０５】
このように、上記第８実施形態にて述べた左右両側電飾部材３００ａ、３００ｄ（図３０参照）が上述のように上下左右両側第２電飾部ＥＬ、ＥＲｂを有することを前提に、光が、輝度を低下しながら、前枠２００ａの左側枠部及び右側枠部の双方に沿い下方から上方へ進んでいくような各発光ダイオードの発光態様でもって、前枠２００ａの左右両側に沿い電飾演出がなされる。
【０４０６】
その結果、上述した第８実施形態にて述べた作用効果を達成しつつ、遊技者に対し視覚的な遊技の楽しみを与えて遊技機に付加価値を提供することができる。その他の作動、演出処理及び作用効果は、上記第８実施形態と同様である。
【符号の説明】
【０４０７】
Ｂａ…本体枠、Ｂｂ…遊技盤、ＦＤ…前扉、Ｈａ…ハンドル、１２…遊技領域、
８０…演出表示装置、３００ａ…左側電飾部材、３００ｂ…右側電飾部材、
３９０…皿部材、３９１ａ…開口部、３９０ｂ…左側皿電飾部材、
３９０ｃ…右側皿電飾部材、５００…副制御装置、
２１３１、２１４１、２１６１、２１８１…ステップ。
【図１】
2018029924.tif 000003
【図２】
2018029924.tif 000004
【図３】
2018029924.tif 000005
【図４】
2018029924.tif 000006
【図５】
2018029924.tif 000007
【図６】
2018029924.tif 000008
【図７】
2018029924.tif 000009
【図８】
2018029924.tif 000010
【図９】
2018029924.tif 000011
【図１０】
2018029924.tif 000012
【図１１】
2018029924.tif 000013
【図１２】
2018029924.tif 000014
【図１３】
2018029924.tif 000015
【図１４】
2018029924.tif 000016
【図１５】
2018029924.tif 000017
【図１６】
2018029924.tif 000018
【図１７】
2018029924.tif 000019
【図１８】
2018029924.tif 000020
【図１９】
2018029924.tif 000021
【図２０】
2018029924.tif 000022
【図２１】
2018029924.tif 000023
【図２２】
2018029924.tif 000024
【図２３】
2018029924.tif 000025
【図２４】
2018029924.tif 000026
【図２５】
2018029924.tif 000027
【図２６】
2018029924.tif 000028
【図２７】
2018029924.tif 000029
【図２８】
2018029924.tif 000030
【図２９】
2018029924.tif 000031
【図３０】
2018029924.tif 000032
【図３１】
2018029924.tif 000033
【図３２】
2018029924.tif 000034
【図３３】
2018029924.tif 000035